(57)【特許請求の範囲】
【請求項１】
他の機器との間に形成された配線経路を通じて当該他の機器を制御する又は当該他の機器により制御される特定制御手段と、外部電源に接続され少なくとも前記特定制御手段の動作電力を生成する電源手段と、を備えた遊技機において、
前記特定制御手段は、
制御を実行するための演算手段と、
電力が供給されている間は記憶した情報の保持を可能とし、前記演算手段が前記他の機器又はそれとは異なる機器を制御する上で参照される情報を記憶保持する記憶手段と、
を備え、
前記特定制御手段と前記他の機器とを電気的に接続するように電力用経路が設けられており、
前記配線経路を形成する配線と前記電力用経路を形成する配線とは、前者の配線が取り外れる場合に後者の配線も取り外されるように接続ユニットとして設けられており、
当該遊技機は、前記外部電源から前記電源手段への電力供給が停止されている状況であって前記電力用経路が遮断されていない状況において前記記憶手段に電力を供給し、前記接続ユニットが接続対象から取り外された場合にその電力供給が停止される電断時用電源手段を備え、
前記外部電源から前記電源手段への電力供給が停止されている状況で前記接続ユニットが接続対象から取り外された場合に、前記電断時用電源手段からの電力供給が停止されることで、前記記憶手段が、前記外部電源から前記電源手段への電力供給が停止された場合に記憶されていた情報が保持されていない状態となる構成であり、
当該遊技機は、前記外部電源から前記電源手段への電力供給が再開された場合に、前記記憶手段が前記保持されていない状態となっている場合には特定報知処理を実行する特定報知処理手段を備えていることを特徴とする遊技機。
【発明の詳細な説明】
【技術分野】
【０００１】
本発明は、遊技機に関するものである。
【背景技術】
【０００２】
遊技機の一種として、例えばパチンコ機や、メダル使用又は球使用のスロットマシンが知られている。これら遊技機は、制御装置を備えている。制御装置は、遊技機を構成する機器にハーネス等の電気配線を介して電気的に接続されており、制御装置が当該機器を制御することにより遊技が進行することとなる。
【０００３】
上記遊技機においては、制御装置内のＲＯＭ（ＣＰＵやＲＯＭが１チップ化されている場合は当該チップ）を不正に交換して遊技内容を変更する等、制御装置に対する不正行為が数多く報告されており、従来より各種の不正対策が検討されている。例えば、制御装置の基板ボックスを透明ケース体にて構成して制御基板を外部から容易に視認できるようにする又は基板ボックスに封印構造（いわゆる、カシメ構造）を設けて基板ボックスを開封すると開封履歴が残るようにする等の不正対策が採用されている（例えば、特許文献１参照）。これら不正対策が採用された構成においては、遊技ホールの管理者等が制御装置を目視により確認することで、不正の発見が行われる。
【先行技術文献】
【特許文献】
【０００４】
【特許文献１】特開２００３−１８０９１７号公報
【発明の概要】
【発明が解決しようとする課題】
【０００５】
ここで、遊技機の不正対策として、より好ましい構成を提供する必要があり、この点について未だ改良の余地がある。
【０００６】
本発明は、上記例示した事情等に鑑みてなされたものであり、不正対策の構成の好適化を図ることが可能な遊技機を提供することを目的とするものである。
【課題を解決するための手段】
【０００７】
上記課題を解決すべく請求項１記載の発明は、他の機器との間に形成された配線経路を通じて当該他の機器を制御する又は当該他の機器により制御される特定制御手段と、外部電源に接続され少なくとも前記特定制御手段の動作電力を生成する電源手段と、を備えた遊技機において、
前記特定制御手段は、
制御を実行するための演算手段と、
電力が供給されている間は記憶した情報の保持を可能とし、前記演算手段が前記他の機器又はそれとは異なる機器を制御する上で参照される情報を記憶保持する記憶手段と、
を備え、
前記特定制御手段と前記他の機器とを電気的に接続するように電力用経路が設けられており、
前記配線経路を形成する配線と前記電力用経路を形成する配線とは、前者の配線が取り外れる場合に後者の配線も取り外されるように接続ユニットとして設けられており、
当該遊技機は、前記外部電源から前記電源手段への電力供給が停止されている状況であって前記電力用経路が遮断されていない状況において前記記憶手段に電力を供給し、前記接続ユニットが接続対象から取り外された場合にその電力供給が停止される電断時用電源手段を備え、
前記外部電源から前記電源手段への電力供給が停止されている状況で前記接続ユニットが接続対象から取り外された場合に、前記電断時用電源手段からの電力供給が停止されることで、前記記憶手段が、前記外部電源から前記電源手段への電力供給が停止された場合に記憶されていた情報が保持されていない状態となる構成であり、
当該遊技機は、前記外部電源から前記電源手段への電力供給が再開された場合に、前記記憶手段が前記保持されていない状態となっている場合には特定報知処理を実行する特定報知処理手段を備えていることを特徴とする。
【発明の効果】
【０００８】
本発明によれば、不正対策の構成の好適化を図ることが可能となる。
【図面の簡単な説明】
【０００９】
【図１】第１の実施形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】前扉枠の構成を示す背面図である。
【図６】本体枠の構成を示す正面図である。
【図７】遊技盤の構成を示す正面図である。
【図８】本体枠の構成を示す背面図である。
【図９】遊技盤の背面構成を示す斜視図である。
【図１０】遊技盤から主制御装置ユニットを取り外した状態を示す背面図である。
【図１１】主制御装置ユニットの構成を示す斜視図である。
【図１２】裏パックユニットの構成を示す正面図である。
【図１３】裏パックユニットの分解斜視図である。
【図１４】パチンコ機の電気的構成を示すブロック回路図である。
【図１５】主制御基板への電力供給に関する構成を説明するためのブロック回路図である。
【図１６】図柄表示装置の表示内容を示す説明図である。
【図１７】遊技制御に用いる各種カウンタの概要を示す説明図である。
【図１８】主制御基板のＣＰＵによるＮＭＩ割込み処理を示すフローチャートである。
【図１９】タイマ割込み処理を示すフローチャートである。
【図２０】始動入賞処理を示すフローチャートである。
【図２１】メイン処理を示すフローチャートである。
【図２２】通常処理を示すフローチャートである。
【図２３】払出制御基板のＣＰＵによる入力時割込み処理を示すフローチャートである。
【図２４】メイン処理を示すフローチャートである。
【図２５】タイマ割込み処理を示すフローチャートである。
【図２６】コマンド判定処理を示すフローチャートである。
【図２７】第２の実施形態における主制御基板への電力供給に関する構成を説明するためのブロック回路図である。
【図２８】第３の実施形態における主制御基板への電力供給に関する構成を説明するためのブロック回路図である。
【図２９】第４の実施形態における主制御基板への電力供給に関する構成を説明するためのブロック回路図である。
【図３０】第５の実施形態における主制御基板への電力供給に関する構成を説明するためのブロック回路図である。
【図３１】第６の実施形態における払出制御基板への電力供給に関する構成を説明するためのブロック回路図である。
【図３２】第７の実施形態における払出制御基板への電力供給に関する構成を説明するためのブロック回路図である。
【図３３】別の主制御基板への電力供給に関する構成を説明するためのブロック回路図である。
【発明を実施するための形態】
【００１０】
はじめに、本実施の形態から抽出され得る発明群を、必要に応じて効果等を示しつつ説明する。なお以下においては、理解の容易のため、本実施の形態において対応する構成を括弧書き等で適宜示すが、この括弧書き等で示した具体的構成に限定されるものではない。
【００１１】
手段１．他の機器との間に形成された配線経路を通じて当該他の機器を制御する又は当該他の機器により制御される特定制御手段（主制御装置１６２等）と、外部電源に接続され少なくとも前記特定制御手段の動作電力を生成する電源手段（電源及び発射制御装置２４３）と、を備えた遊技機において、
前記特定制御手段は、
前記外部電源から前記電源手段への電力供給が停止されている状況で前記配線経路を形成する配線が接続対象から取り外された場合に、記憶内容が特定内容となる記憶手段（ＲＡＭ３１３等）と、
前記外部電源から前記電源手段への電力供給が再開された場合に、前記記憶手段の記憶内容が前記特定内容となっている場合には特定報知処理を実行する特定報知処理手段（ＣＰＵ３１１におけるステップＳ４１３の異常報知処理を実行する機能）と、
を備えていることを特徴とする遊技機。
【００１２】
手段１の遊技機では、電源手段にて生成された動作電力を受けることにより特定制御手段が動作し、当該特定制御手段により他の機器が制御されることで又は他の機器により特定制御手段が制御されることで遊技が進行する。
【００１３】
本構成において、外部電源から電源手段への電力供給が停止されている状況で、特定制御手段と他の機器との配線経路を形成する配線が接続対象から取り外された場合には記憶手段における記憶内容が特定内容となる。そして、外部電源から電源手段への電力供給が再開された場合に、記憶手段の記憶内容が特定内容となっている場合には特定報知処理が実行される。これにより、外部電源から電源手段への電力供給が停止されている状況で、配線経路を形成する配線が取り外され、例えば、他の機器を不正用機器に交換するといった他の機器に関する不正行為が行われた場合には、特定報知処理が実行されその旨が報知される。よって、上記不正行為が行われた場合には、それを容易に発見することが可能となる。
【００１４】
なお、「特定報知処理」としては、ランプ部を備えた構成においてはそのランプ部を予め定められた態様で点灯又は点滅させる処理や、スピーカ部を備えた構成においては当該スピーカ部から予め定められた音又は音声を出力させる処理や、表示画面を有する表示装置を備えた構成においてはその表示画面にて予め定められた表示を行わせる処理などが考えられる。また、これら以外にも、遊技ホールの管理コンピュータに異常信号を出力する処理も考えられる。
【００１５】
手段２．手段１において、前記記憶手段は、電力が供給されている間は記憶した情報の保持を可能とする記憶手段（ＲＡＭ３１３等）であり、
さらに前記外部電源から前記電源手段への電力供給が停止されている状況において前記記憶手段に電力を供給するとともに、前記配線経路を形成する配線が接続対象から取り外された場合にその電力供給が停止される電断時用電源手段（電断時用電源部３２１ｃ）を備えており、
前記特定内容は、前記外部電源から前記電源手段への電力供給が停止された場合に前記記憶手段に記憶されていた情報が保持されていないことであることを特徴とする遊技機。
【００１６】
手段２によれば、外部電源から電源手段への電力供給が停止されている状況で、特定制御手段と他の機器との配線経路を形成する配線が接続対象から取り外された場合には、電断時用電源手段から記憶手段への電力供給が停止され、記憶手段にてそれまで保持されていた情報が保持されなくなる。そして、外部電源から電源手段への電力供給が再開された場合に、記憶手段に記憶保持されているはずの情報が保持されていない場合には特定報知処理が実行される。本構成とすることにより、記憶手段と電断時用電源手段という比較的簡素な構成によって、電断時における他の機器に関する不正行為の監視を行うことが可能となる。
【００１７】
手段３．手段２において、前記特定制御手段には、前記他の機器を制御する演算手段（ＣＰＵ３１１等）が搭載されており、
前記記憶手段は、前記演算手段が前記他の機器又はそれとは異なる機器を制御する上で参照される情報を記憶保持するものであることを特徴とする遊技機。
【００１８】
手段３によれば、演算手段は記憶手段にて記憶保持されている情報を参照することで、所定の機器を制御する。また、電断時用電源手段が設けられていることにより、外部電源から電源手段への電力供給が停止されている状況であっても記憶手段において情報の記憶保持が可能となる。この場合に、これら記憶手段及び電断時用電源手段により、電断時における他の機器に関する不正行為の監視を行う機能が果たされる。つまり、本構成によれば、構成の簡素化を図りつつ、上記優れた効果を得ることができる。
【００１９】
手段４．手段３において、前記記憶手段は、前記外部電源から前記電源手段への電力供給が停止される場合に電源遮断情報（停電フラグ等）が記憶されるものであり、
前記演算手段は、前記外部電源から前記電源手段への電力供給が再開された場合、前記記憶手段に記憶された電源遮断情報を参照して前記他の機器又はそれとは異なる機器を制御し、当該演算手段の制御により遊技状況が電源遮断前の状況に復帰する構成であり、
前記特定報知処理は、前記外部電源から前記電源手段への電力供給が再開された場合に、前記記憶手段に前記電源遮断情報が記憶されていない場合には前記特定報知処理を実行するものであることを特徴とする遊技機。
【００２０】
手段４の遊技機では、外部電源から電源手段への電力供給が停止される場合には記憶手段に電源遮断情報が記憶される。そして、外部電源から電源手段への電力供給が再開される場合にはその電源遮断情報が参照されて所定の機器が制御されることで、遊技状況が電源遮断前の状況に復帰する。
【００２１】
当該構成において、上記手段１等の構成を備えていることにより、外部電源から電源手段への電力供給が停止されている状況で、特定制御手段と他の機器との配線経路を形成する配線が接続対象から取り外された場合には、記憶手段から電源遮断情報が消去される。そして、外部電源から電源手段への電力供給が再開された場合に電源遮断情報が消去されている場合には、特定報知処理が実行されその旨が報知される。つまり、本構成によれば、復電時に遊技状況を電源遮断前の状況に復帰させる構成が、不正行為を容易に発見するための構成として兼用されるため、構成の簡素化が図られる。
【００２２】
手段５．手段２乃至４のいずれかにおいて、前記特定制御手段と前記他の機器との間で電力用経路（電力供給経路Ｒ１等）を設けるとともに、前記電断時用電源手段は前記電力用経路の遮断中には前記記憶手段へ電力を供給しない構成とし、
前記配線経路を形成する配線と前記電力用経路を形成する配線（電力用配線ＥＬＮ５，ＥＬＮ６等）とを、少なくとも前者の配線が取り外される場合に後者の配線も取り外されるように接続ユニット（ハーネスＨ３等）として設けたことを特徴とする遊技機。
【００２３】
手段５によれば、配線経路を形成する配線と電力用経路を形成する配線とが接続ユニットとして設けられていることにより、上記配線経路を形成する配線が接続対象から取り外された場合には、記憶手段にてそれまで保持されていた情報が保持されなくなる。また、本構成によれば、配線経路を形成する配線と電力用経路を形成する配線とを接続ユニットとして設けるという比較的簡素な構成により、上記優れた効果を得ることができる。
【００２４】
手段６．手段５において、前記電断時用電源手段は前記電力用経路を通じて前記記憶手段に電力を供給するものであることを特徴とする遊技機。
【００２５】
手段６によれば、電力用経路を通じて電断時用電源手段から記憶手段に電力が供給されるため、接続ユニットの取り外しが行われた場合には記憶手段にてそれまで保持されていた情報が確実に保持されなくなる。特に、本構成では、電断時用電源手段から記憶手段へ電力を伝達する配線を引き回すという比較的簡素な構成により、上記優れた効果を得ることができる。
【００２６】
手段７．手段５において、前記特定制御手段に対して接続確認用の信号を出力する接続確認用信号出力手段（接続確認用信号線ＬＬＮ１の接地）と、
前記電力用経路を形成する配線として前記接続確認用の信号を伝達する接続確認用信号線（接続確認用信号線ＬＬＮ１）と、
前記接続確認用の信号が伝達されている場合のみ前記電断時用電源手段から前記記憶手段へ電力を供給する電力制御回路（切替回路４０１）と、
を備えていることを特徴とする遊技機。
【００２７】
手段７の遊技機では、接続確認用信号線を介して接続確認用の信号が伝達されている場合のみ、電力制御回路によって記憶手段に電力が供給される。よって、接続ユニットの取り外しが行われた場合には、記憶手段にてそれまで保持されていた情報が保持されなくなる。特に、本構成では、電断時用電源手段から記憶手段へ電力を伝達する配線を引き回さなくてもよいため、当該配線長を短くすることが可能となり、当該配線の構成を良好なものとすることができる。
【００２８】
手段８．手段７において、前記接続確認用信号出力手段は、前記接続確認用信号線をグランドに接地してなることを特徴とする遊技機。
【００２９】
手段８によれば、接続確認用信号線がグランドに接地されることにより、接続確認用の信号として基準電位が出力される。この場合、接続確認用の信号を生成する生成回路等を設ける必要がなく、接続確認用信号出力手段の構成を簡素なものとすることができる。
【００３０】
手段９．手段７又は８において、前記電断時用電源手段と前記記憶手段との間には前記電力用経路とは別の電力供給経路を設け、前記電断時用電源手段は当該電力供給経路を通じて前記記憶手段に電力を供給するものであり、
前記電力制御回路は、前記電断時用電源手段から前記記憶手段への電力供給経路に接続されたスイッチング素子（ＭＯＳＦＥＴ４０１ａ）を備え、
前記接続確認用の信号が伝達されていない場合には前記スイッチング素子が遮断状態となるようにしたことを特徴とする遊技機。
【００３１】
手段９によれば、接続確認用の信号が伝達されていない場合には、スイッチング素子が遮断状態となる。このため、接続ユニットの取り外しが行われた場合には、記憶手段にてそれまで保持されていた情報が保持されなくなる。
【００３２】
手段１０．手段２乃至９のいずれかにおいて、前記電断時用電源手段は、前記電源手段に搭載されていることを特徴とする遊技機。
【００３３】
手段１０によれば、電源の機能が電源手段に集約され、電源に関する構成が良好なものとなる。
【００３４】
手段１１．手段１乃至１０のいずれかにおいて、前記他の機器として第１機器（払出制御装置２４２）と第２機器（作動口スイッチ１５４）とを備えているとともに、前記配線経路として前記第１機器用の第１配線経路と前記第２機器用の第２配線経路とを備えており、
前記記憶手段は、前記外部電源から前記電源手段への電力供給が停止されている状況で前記第１配線経路を形成する配線又は前記第２配線経路を形成する配線の少なくとも一方が接続対象から取り外された場合に、記憶内容が前記特定内容となることを特徴とする遊技機。
【００３５】
手段１１によれば、外部電源から電源手段への電力供給が停止されている状況で、特定制御手段と第１機器との第１配線経路を形成する配線が接続対象から取り外された場合又は特定制御手段と第２機器との第２配線経路を形成する配線が接続対象から取り外された場合には、記憶手段における記憶内容が特定内容となる。そして、外部電源から電源手段への電力供給が再開された場合に、記憶手段の記憶内容が特定内容となっている場合には特定報知処理が実行される。これにより、外部電源から電源手段への電力供給が停止されている状況で、第１機器を不正用機器に交換するといった第１機器に関する不正行為又は第２機器を不正用機器に交換するといった第２機器に関する不正行為が行われた場合には、それを容易に発見することが可能となる。さらにまた、本構成によれば、第１機器及び第２機器に対する不正行為を特定制御手段にてまとめて監視することが可能となる。
【００３６】
手段１２．手段１１において、前記記憶手段は、電力が供給されている間は記憶した情報の保持を可能とする記憶手段（ＲＡＭ３１３）であり、
さらに前記外部電源から前記電源手段への電力供給が停止されている状況において前記記憶手段に電力を供給する電断時用電源手段（電断時用電源部３２１ｃ）を備えており、
前記第１配線経路を形成する配線及び前記第２配線経路を形成する配線のそれぞれに対応させて特定配線（電力用配線ＥＬＮ９〜ＥＬＮ１２）が設けられており、
前記第１配線経路を形成する配線とそれに対応する特定配線とを、少なくとも前者の配線が取り外される場合に後者の配線も取り外されるように接続ユニット（ハーネスＨ５）として設けるとともに、
前記第２配線経路を形成する配線とそれに対応する特定配線とを、少なくとも前者の配線が取り外される場合に後者の配線も取り外されるように接続ユニット（ハーネスＨ６）として設け、
前記特定制御手段、前記第１機器及び前記第２機器の間で、前記各特定配線を含めて電力用経路（電力供給経路Ｒ３）を形成するとともに、前記電断時用電源手段は前記電力用経路の遮断中には前記記憶手段へ電力を供給しないものとし、
前記特定内容は、前記外部電源から前記電源手段への電力供給が停止された場合に前記記憶手段に記憶されていた情報が保持されていないことであることを特徴とする遊技機。
【００３７】
手段１２によれば、外部電源から電源手段への電力供給が停止されている状況で、特定制御手段と第１機器との第１配線経路を形成する配線が接続対象から取り外された場合又は特定制御手段と第２機器との第２配線経路を形成する配線が接続対象から取り外された場合には、電断時用電源手段から記憶手段への電力供給が停止され、当該記憶手段にてそれまで保持されていた情報が保持されなくなる。そして、外部電源から電源手段への電力供給が再開された場合に、記憶手段に記憶保持されているはずの情報が保持されていない場合には特定報知処理が実行される。本構成とすることにより、記憶手段と電断時用電源手段という比較的簡素な構成によって、第１機器及び第２機器に対する不正行為を特定制御手段にてまとめて監視することが可能となる。さらに、本構成によれば、各配線経路を形成する配線と電力用経路を形成する特定配線とを接続ユニットとして設けるという比較的簡素な構成により、上記優れた効果を得ることができる。
【００３８】
手段１３．手段１乃至１２のいずれかにおいて、前記記憶手段は、前記外部電源から前記電源手段への電力供給が行われている状況で前記配線経路を形成する配線が接続対象から取り外された場合にも、記憶内容が前記特定内容となるものであり、
前記外部電源から前記電源手段への電力供給が行われている状況で前記記憶手段の記憶内容が前記特定内容となっている場合には第２特定報知処理を実行する第２特定報知処理手段（ＣＰＵ３１１におけるステップＳ２０６の異常報知処理を実行する機能）をさらに備えていることを特徴とする遊技機。
【００３９】
手段１３によれば、外部電源から電源手段への電力供給が行われている状況で、特定制御手段と他の機器との配線経路を形成する配線が接続対象から取り外された場合にも、記憶手段における記憶内容が特定内容となる。そして、外部電源から電源手段への電力供給が行われている状況で記憶手段の記憶内容が特定内容となっている場合には第２特定報知処理が実行される。これにより、外部電源から電源手段への電力供給が行われている状況で、配線経路を形成する配線が取り外され、例えば、他の機器を不正用機器に交換するといった他の機器に関する不正行為が行われた場合には、第２特定報知処理が実行されその旨が報知される。よって、上記不正行為が行われた場合には、それを容易に発見することが可能となる。つまり、本構成によれば、記憶手段及びそれに関する構成により、外部電源から電源手段への電力供給が停止されている状況及び外部電源から電源手段への電力供給が行われている状況の両状況における不正行為に対処することが可能となる。
【００４０】
なお、「第２特定報知処理」が実行されることによる報知内容は、「特定報知処理」が実行されることによる報知内容と同一のものであってもよく、異なるものであってもよい。
【００４１】
手段１４．手段１において、前記記憶手段は、電力が供給されている間は記憶した情報の保持を可能とする記憶手段（ＲＡＭ３１３等）であり、
前記外部電源から前記電源手段への電力供給が行われている状況において前記記憶手段に電力を供給するとともに、前記配線経路を形成する配線が接続対象から取り外された場合にその電力供給が停止される電入時用電源手段（電源部３２１ｂ）と、
前記外部電源から前記電源手段への電力供給が停止されている状況において前記記憶手段に電力を供給するとともに、前記配線経路を形成する配線が接続対象から取り外された場合にその電力供給が停止される電断時用電源手段（電断時用電源部３２１ｃ）と、
前記外部電源から前記電源手段への電力供給が開始された場合に、前記記憶手段に確認用情報を記憶保持させる記憶保持実行手段（ＣＰＵ３１１におけるステップＳ４０７の処理を実行する機能）と、
をさらに備えており、
前記特定内容は、前記記憶手段に前記確認用情報が記憶されていないことであり、
さらに前記外部電源から前記電源手段への電力供給が行われている状況で前記配線経路を形成する配線が接続対象から取り外された場合に前記記憶手段から前記確認用情報が消去され、この消去された状態は前記外部電源から前記電源手段への電力供給が停止された後も維持され、
前記特定報知処理手段は、前記外部電源から前記電源手段への電力供給が再開された場合に、前記記憶実行手段による前記記憶手段への前記確認用情報の記憶が行われる前のタイミングで前記記憶手段に前記確認用情報が記憶保持されていない場合に前記特定報知処理を実行するものであることを特徴とする遊技機。
【００４２】
手段１４によれば、外部電源から電源手段への電力供給が停止されている状況で、特定制御手段と他の機器との配線経路を形成する配線が接続対象から取り外された場合には、電断時用電源手段から記憶手段への電力供給が停止され、当該揮発性手段にそれまで記憶保持されていた確認用情報は保持されなくなる。そして、外部電源から電源手段への電力供給が再開された場合に、記憶手段に確認用情報が記憶保持されていない場合には特定報知処理が実行される。本構成とすることにより、記憶手段と電断時用電源手段という比較的簡素な構成によって、電断時における他の機器に関する不正行為の監視を行うことが可能となる。
【００４３】
また、外部電源から電源手段への電力供給が行われている状況で上記配線経路を形成する配線が接続対象から取り外された場合には、電入時用電源手段から記憶手段への電力供給が停止され、当該記憶手段にそれまで記憶保持されていた確認用情報は保持されなくなる。この確認用情報が保持されていない状態は、外部電源から電源手段への電力供給が停止された後も維持される。そして、外部電源から電源手段への電力供給が再開された場合に、記憶手段に確認用情報が記憶保持されていない場合には特定報知処理が実行される。本構成とすることにより、電入時において上記配線経路を形成する配線を接続対象から取り外して他の機器を不正用機器に交換する行為などを行い、その後、外部電源からの電力供給を停止させる行為が行われたとしても、特定報知処理が実行されその旨が報知される。つまり、本構成によれば、記憶手段及びそれに関する構成により、多様な状況における不正行為に対処することが可能となる。
【００４４】
なお、本手段１４に対して、上記手段３乃至１３のいずれかの構成を適用してもよく、これら手段を適用することで本発明はより良好なものとなる。
【００４５】
手段１５．手段１乃至１４のいずれかにおいて、前記他の機器は、前記特定制御手段から前記配線経路を通じて入力する信号により制御されるサブ制御手段（払出制御装置２４２）であり、
当該サブ制御手段は、前記特定制御手段から入力した信号に基づいて被制御機器（払出装置２２４）を制御するものであることを特徴とする遊技機。
【００４６】
本手段１５における構成において上記手段１等の構成を備えていることにより、サブ制御手段に関する不正行為に対処することが可能となる。
【００４７】
なお、サブ制御手段としては、絵柄を可変表示する絵柄表示装置を表示制御する表示制御装置や、遊技媒体の払出を実行する払出装置を制御する払出制御装置が考えられる。
【００４８】
手段１６．手段１乃至１４のいずれかにおいて、前記他の機器は、前記配線経路を通じて前記特定制御手段に信号を出力することで当該特定制御手段を制御するメイン制御手段（主制御装置１６２）であり、
前記特定制御手段は、前記メイン制御手段から入力した信号に基づいて被制御機器（払出装置２２４）を制御するものであることを特徴とする遊技機。
【００４９】
本手段１６における構成において上記手段１等の構成を備えていることにより、メイン制御手段に関する不正行為に対処することが可能となる。
【００５０】
なお、メイン制御手段としては主制御装置が考えられ、特定制御手段としては、絵柄を可変表示する絵柄表示装置を表示制御する表示制御装置や、遊技媒体の払出を実行する払出装置を制御する払出制御装置が考えられる。
【００５１】
手段１７．手段１乃至１４のいずれかにおいて、遊技球が流下する遊技領域が形成された遊技装置（遊技盤８１）を備えており、
前記他の機器は、前記遊技領域に設けられた入球部に遊技球が入球したか否かを検知する検知装置（作動口スイッチ１５４等）であり、
前記特定制御手段は、前記配線経路を通じて前記検知装置から入力する検知結果に基づいて入球判定を行う入球判定手段（ＣＰＵ３１１における始動入賞処理を実行する機能）を備えていることを特徴とする遊技機。
【００５２】
本手段１７における構成において上記手段１等の構成を備えていることにより、検知装置に関する不正行為に対処することが可能となる。
【００５３】
手段１８．手段１乃至１４のいずれかにおいて、前記他の機器は、遊技媒体の払出を実行する払出装置（払出装置２２４）であり、
前記特定制御手段は、前記配線経路を通じて前記払出装置に動作電力を供給することで当該払出装置を駆動制御することを特徴とする遊技機。
【００５４】
本手段１８における構成において上記手段１等の構成を備えていることにより、払出装置に関する不正行為に対処することが可能となる。
【００５５】
手段１９．他の機器との間に形成された配線経路を通じて当該他の機器を制御する又は当該他の機器により制御される特定制御手段（主制御装置１６２等）と、外部電源に接続され前記特定制御手段の動作電力を生成する電源手段（電源及び発射制御装置２４３）と、を備えた遊技機において、
前記特定制御手段に設けられ、電力が供給されている間は記憶した情報の保持を可能とする記憶手段（ＲＡＭ３１３等）と、
前記記憶手段に電力を供給する記憶用電源手段（電源部３２１ｂ、電断時用電源部３２１ｃ）と、
を備え、
前記配線経路を形成する配線に対応させて特定配線（電力用配線ＥＬＮ５，ＥＬＮ６等）を設けるとともに、それら配線を少なくとも前者の配線が取り外される場合に後者の配線も取り外されるように接続ユニット（ハーネスＨ３等）として設け、
前記特定配線を含めて電力用経路（電力供給経路Ｒ１等）を形成するとともに、前記記憶用電源手段は前記電力用経路の遮断中には前記記憶手段へ電力を供給しないものとしたことを特徴とする遊技機。
【００５６】
手段１９の遊技機では、電源手段にて生成された動作電力を受けることにより特定制御手段が動作し、当該特定制御手段により他の機器が制御されることにより又は他の機器により特定制御手段が制御されることで遊技が進行する。
【００５７】
本構成において、配線経路を形成する配線と電力用経路を形成する配線とが接続ユニットとして設けられていることにより、特定制御手段と他の機器との配線経路を形成する配線が接続対象から取り外された場合には、記憶手段にそれまで記憶保持されていた情報が保持されなくなる。これにより、配線経路を形成する配線が取り外され、例えば、他の機器を不正用機器に交換するといった他の機器に関する不正行為が行われた場合には、その事実を特定制御手段にて把握することが可能となる。そして、このように特定制御手段にて上記不正行為が行われた事実の把握を可能とすることで、それに対して対処することが可能となる。
【００５８】
また、本構成によれば、配線経路を形成する配線と電力用経路を形成する配線とを接続ユニットとして設けるという比較的簡素な構成により、上記優れた効果を得ることができる。
【００５９】
手段２０．手段１９において、前記記憶用電源手段は、前記外部電源から前記電源手段への電力供給が停止されている状況において前記記憶手段に電力を供給する電断時用電源手段（電断時用電源部３２１ｃ）を備えていることを特徴とする遊技機。
【００６０】
手段２０によれば、外部電源から電源手段への電力供給が停止されている状況で、特定制御手段と他の機器との配線経路を形成する配線が接続対象から取り外された場合には、記憶手段にそれまで記憶保持されていた情報が保持されなくなる。これにより、外部電源から電源手段への電力供給が停止されている状況で、配線経路を形成する配線が取り外され、例えば、他の機器を不正用機器に交換するといった他の機器に関する不正行為が行われた場合には、その事実を特定制御手段にて把握することが可能となる。そして、このように特定制御手段にて上記不正行為が行われた事実の把握を可能とすることで、それに対して対処することが可能となる。
【００６１】
手段２１．手段２０において、前記外部電源から前記電源手段への電力供給が再開された場合に、前記外部電源から前記電源手段への電力供給が停止された際に前記記憶手段に記憶されていた情報が保持されていない場合には特定報知処理を実行する特定報知処理手段（ＣＰＵ３１１におけるステップＳ４１３の異常報知処理を実行する機能）をさらに備えていることを特徴とする遊技機。
【００６２】
手段２１によれば、外部電源から電源手段への電力供給が停止されている状況で、配線経路を形成する配線が取り外され、例えば、他の機器を不正用機器に交換するといった他の機器に関する不正行為が行われた場合には、特定報知処理が実行されその旨が報知される。よって、上記不正行為が行われた場合には、それを容易に発見することが可能となる。
【００６３】
なお、「特定報知処理」としては、ランプ部を備えた構成においてはそのランプ部を予め定められた態様で点灯又は点滅させる処理や、スピーカ部を備えた構成においては当該スピーカ部から予め定められた音又は音声を出力させる処理や、表示画面を有する表示装置を備えた構成においてはその表示画面にて予め定められた表示を行わせる処理などが考えられる。また、これら以外にも、遊技ホールの管理コンピュータに異常信号を出力する処理も考えられる。
【００６４】
手段２２．被制御機器を制御する特定制御手段（主制御装置１６２等）と、外部電源に接続され前記特定制御手段の動作電力を生成する電源手段（電源及び発射制御装置２４３）と、を備えた遊技機において、
前記特定制御手段に設けられ、電力が供給されている間は記憶した情報の保持を可能とする記憶手段（ＲＡＭ３１３等）と、
当該記憶手段に電力を供給する記憶用電源手段（電源部３２１ｂ、電断時用電源部３２１ｃ）と、
を備え、
さらに前記特定制御手段と当該特定制御手段とは異なる他の機器とを電気的に接続するように特定配線（電力用配線ＥＬＮ５，ＥＬＮ６等）を設け、
当該特定配線を含めて電力用経路（電力供給経路Ｒ１等）を形成するとともに、前記記憶用電源手段は前記電力用経路の遮断中には前記記憶手段へ電力を供給しないものとしたことを特徴とする遊技機。
【００６５】
手段２２の遊技機では、電源手段にて生成された動作電力を受けることにより特定制御手段が動作する。そして、当該特定制御手段が動作することで遊技が進行する。
【００６６】
本構成において、特定制御手段と他の機器とが特定配線を介して電気的に接続されているとともに、当該特定配線を含めて形成された電力用経路が遮断されている場合には記憶手段に記憶用電源手段から電力が供給されなくなる。これにより、他の機器（監視対象機器）を不正用機器に交換するといった他の機器に関する不正行為が行われた場合には、その事実を特定制御手段にて把握することが可能となる。そして、このように特定制御手段にて上記不正行為が行われた事実の把握を可能とすることで、それに対して対処することが可能となる。
【００６７】
なお、上記各手段によれば、以下の課題を解決することが可能である。
【００６８】
遊技機の一種として、例えばパチンコ機や、メダル使用又は球使用のスロットマシンが知られている。これら遊技機は、制御装置を備えている。制御装置は、遊技機を構成する機器にハーネス等の電気配線を介して電気的に接続されており、制御装置が当該機器を制御することにより遊技が進行することとなる。
【００６９】
上記遊技機においては、制御装置内のＲＯＭ（ＣＰＵやＲＯＭが１チップ化されている場合は当該チップ）を不正に交換して遊技内容を変更する等、制御装置に対する不正行為が数多く報告されており、従来より各種の不正対策が検討されている。例えば、制御装置の基板ボックスを透明ケース体にて構成して制御基板を外部から容易に視認できるようにする又は基板ボックスに封印構造（いわゆる、カシメ構造）を設けて基板ボックスを開封すると開封履歴が残るようにする等の不正対策が採用されている。これら不正対策が採用された構成においては、遊技ホールの管理者等が制御装置を目視により確認することで、不正の発見が行われる。
【００７０】
しかしながら、上記のような不正対策が採用されていたとしても、以下のような不正行為が行われた場合にはその発見は容易ではない。例えば、制御装置を、それと外観がほぼ同一の不正用制御装置に交換する行為が行われた場合には、上記不正対策では対応できない。また、制御対象の機器を、それと外観がほぼ同一の機器に交換する行為が行われた場合には、上記不正対策では対応できない。また、制御装置と制御対象の機器との信号経路の途中位置に不正用制御装置を介在させる行為が行われた場合には、上記不正対策では対応できない。さらに言うと、上記不正行為が遊技ホールの閉店時などのように遊技機の電源が遮断された状態で行われた場合には、当該遊技機の制御装置などにて不正の監視処理を実行することもできない。
【００７１】
以下に、以上の各手段を適用し得る各種遊技機の基本構成を示す。
【００７２】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域に導く球通路（内，外レール部１０１，１０２）と、遊技領域内に配置された各遊技部品とを備え、それら各遊技部品のうち所定の入球部（各種スイッチ１５２〜１５５）に遊技球が入球した場合に遊技者に特典を付与する遊技機。
【００７３】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して前記複数の絵柄の可変表示が停止され、その停止後の絵柄に応じて遊技者に特典を付与する遊技機。
【００７４】
（第１の実施形態）
以下、遊技機の一種であるパチンコ遊技機（以下、「パチンコ機」という）の第１の実施形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。
【００７５】
パチンコ機１０は、当該パチンコ機１０の外殻を形成する外枠１１と、この外枠１１に対して前方に回動可能に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【００７６】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能に支持されている。詳細には、正面視で左側を回動基端側とし右側を回動先端側として本体枠１３が前方へ回動可能とされている。
【００７７】
本体枠１３には、図２に示すように、前扉枠１４が回動可能に支持されており、正面視で左側を回動基端側とし右側を回動先端側として前方へ回動可能とされている。また、本体枠１３には、図３に示すように、裏パックユニット１５が回動可能に支持されており、正面視で左側を回動基端側とし右側を回動先端側として後方へ回動可能とされている。
【００７８】
次に、前扉枠１４について説明する。なお、以下の説明では、図１〜図３を参照するとともに、前扉枠１４の背面の構成については図５を参照する。図５は、前扉枠１４の背面図である。
【００７９】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【００８０】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００８１】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００８２】
前扉枠１４の背面には、図２及び図５に示すように、通路形成ユニット５０が取り付けられている。通路形成ユニット５０は、合成樹脂により成形されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【００８３】
前扉枠１４の背面における回動基端側（図５の右側）には、その上端部及び下端部に突起軸６１，６２が設けられている。これら突起軸６１，６２は本体枠１３に対する組付機構を構成する。また、前扉枠１４の背面における回動先端側（図５の左側）には、図２に示すように、後方に延びる鉤金具６３が上下方向に複数並設されている。これら鉤金具６３は本体枠１３に対する施錠機構を構成する。
【００８４】
次に、本体枠１３について詳細に説明する。図６は本体枠１３の正面図である。
【００８５】
本体枠１３は、外形が外枠１１とほぼ同一形状をなす樹脂ベース７１を主体に構成されている。樹脂ベース７１の前面における回動基端側（図６の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【００８６】
樹脂ベース７１の前面における回動先端側（図６の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【００８７】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。
【００８８】
樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域が樹脂ベース７１の窓孔７６を通じて本体枠１３の前面側に露出した状態となっている。
【００８９】
ここで、遊技盤８１の構成を図７に基づいて説明する。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２は、左右にそれぞれ２個ずつ合計４個設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域から排出される。また、遊技盤８１には、遊技球の落下方向を適宜分散、調整等するために多数の釘８８が植設されていると共に、風車等の各種部材（役物）が配設されている。
【００９０】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【００９１】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００９２】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【００９３】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【００９４】
遊技盤８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【００９５】
遊技球発射機構１１０は、図６に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【００９６】
発射レール１１２と遊技盤８１に取り付けられた内，外レール部１０１，１０２との間には所定間隔の隙間があり、この隙間より下方には前扉枠１４の通路形成ユニット５０に形成されたファール球通路５５が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路５５内に入る。ファール球通路５５は前扉側下皿通路５２に通じており、ファール球通路５５に入った遊技球は下皿３４に排出される。
【００９７】
樹脂ベース７１において発射レール１１２の左方には、樹脂ベース７１を前後方向に貫通させて通路形成部１２１が設けられている。通路形成部１２１には図３に示すように本体側上皿通路１２２と本体側下皿通路１２３とが形成されている。本体側上皿通路１２２及び本体側下皿通路１２３の上流側は、後述する遊技球分配部に通じている。また、通路形成部１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている。
【００９８】
樹脂ベース７１において通路形成部１２１の下方には、本体側上皿通路１２２及び本体側下皿通路１２３を開閉する開閉部材１２４が取り付けられている。開閉部材１２４はその下端に設けられた支軸１２５により前後方向に回動可能に支持されており、さらに本体側上皿通路１２２及び本体側下皿通路１２３を閉鎖する前方位置に付勢する図示しない付勢部材が設けられている。したがって、前扉枠１４を本体枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット５０に設けられた受口部５３により付勢力に抗して開閉部材１２４が押し開けられる。この状態では、本体側上皿通路１２２と前扉側上皿通路５１とが連通し、さらに本体側下皿通路１２３と前扉側下皿通路５２とが連通している。
【００９９】
次に、本体枠１３の背面構成について説明する。図８は本体枠１３の背面図である。
【０１００】
樹脂ベース７１の背面における回動先端側（図８の左側）には、施錠装置１３１が設けられており、シリンダ錠７５におけるキー操作に対して施錠装置１３１が連動し、本体枠１３及び前扉枠１４の解錠が行われる。
【０１０１】
樹脂ベース７１の背面における回動基端側（図８の右側）には、軸受け金具１３２が取り付けられている。軸受け金具１３２には、上下に離間させて軸受け部１３３が形成されており、これら軸受け部１３３により本体枠１３に対して裏パックユニット１５が回動可能に取り付けられている。また、樹脂ベース７１の背面には、裏パックユニット１５を本体枠１３に締結するための被締結孔１３４が設けられている。
【０１０２】
樹脂ベース７１の背面には、係止金具１３５が複数設けられており、これら係止金具１３５によって上述したように樹脂ベース７１に対して遊技盤８１が取り付けられている。ここで、遊技盤８１の背面の構成を説明する。図９は遊技盤８１を後方より見た斜視図、図１０は遊技盤８１から主制御装置ユニット１６０を取り外した状態を示す背面図である。
【０１０３】
遊技盤８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【０１０４】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【０１０５】
遊技盤８１の背面には、図１０に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【０１０６】
遊技球回収機構について説明すると、集合板ユニット１５０には、前記一般入賞口８２、可変入賞装置８３、作動口８４の遊技盤開口部に対応して且つ下流側で１カ所に集合する回収通路１５１が形成されている。したがって、一般入賞口８２等に入賞した遊技球は何れも回収通路１５１を介して遊技盤８１の下方に集合する。遊技盤８１の下方には後述する排出通路があり、回収通路１５１により遊技盤８１の下方に集合した遊技球は排出通路内に導出される。なお、アウト口８７も同様に排出通路に通じており、何れの入賞口にも入賞しなかった遊技球もアウト口８７を介して排出通路内に導出される。
【０１０７】
入賞検知機構について説明すると、集合板ユニット１５０には、遊技盤８１表側の各一般入賞口８２と対応する位置にそれぞれ入賞口スイッチ１５２ａ〜１５２ｄが設けられている。また、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。また、集合板ユニット１５０外における可変表示ユニット８６の右側には、スルーゲート８５を通過する遊技球を検知するゲートスイッチ１５５が設けられている。これらスイッチ１５２〜１５５の検知について詳細には、各スイッチ１５２〜１５５は後述する主制御装置に電気的に接続されており、遊技球を検知していない状態では主制御装置に対してＬＯＷレベル信号を出力し、遊技球を検知している状態では主制御装置に対してＨＩレベル信号を出力するよう構成されている。
【０１０８】
遊技盤８１の背面には、集合板ユニット１５０を後側から覆うようにして主制御装置ユニット１６０が搭載されている。主制御装置ユニット１６０の構成について図１１を用いて説明する。図１１は主制御装置ユニット１６０の構成を示す斜視図である。
【０１０９】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【０１１０】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【０１１１】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【０１１２】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【０１１３】
次に、裏パックユニット１５について説明する。図１２は裏パックユニット１５の正面図、図１３は裏パックユニット１５の分解斜視図である。
【０１１４】
裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８６を囲むのに十分な大きさを有する。
【０１１５】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【０１１６】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【０１１７】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【０１１８】
払出機構部２０２には、裏パック基板２２９が設置されている。裏パック基板２２９には、例えば交流２４ボルトの主電源が供給され、電源スイッチ２２９ａの切替操作により電源ＯＮ又は電源ＯＦＦとされるようになっている。
【０１１９】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、上述した回収通路１５１等から排出通路２３１に導出された遊技球は当該排出通路２３１を通ることでパチンコ機１０外部に排出される。
【０１２０】
制御装置集合ユニット２０４は、横長形状をなす取付台２４１を有し、取付台２４１に払出制御装置２４２と電源及び発射制御装置２４３とが搭載されている。これら払出制御装置２４２と電源及び発射制御装置２４３とは、払出制御装置２４２がパチンコ機１０後方となるように前後に重ねて配置されている。
【０１２１】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０１２２】
電源及び発射制御装置２４３は、基板ボックス２４６内に電源及び発射制御基板が収容されており、当該基板により、各種制御装置等で要する所定の電力が生成されて出力され、さらに遊技者による遊技球発射ハンドル４１の操作に伴う遊技球の打ち出しの制御が行われる。また、電源及び発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０１２３】
次に、パチンコ機１０の電気的構成について、図１４のブロック回路図に基づいて説明する。図１４では、電力の供給ラインを二重線矢印で示し、信号ラインを実線矢印で示す。
【０１２４】
主制御装置１６２に設けられた主制御基板３０１には、主制御回路３０２と停電監視回路３０３（電断監視回路）とが設けられている。主制御回路３０２には、ＣＰＵ３１１が搭載されている。
【０１２５】
ＣＰＵ３１１には、当該ＣＰＵ３１１により実行される各種の制御プログラムや固定値データを記憶したＲＯＭ３１２（不揮発性記憶手段）と、そのＲＯＭ３１２内に記憶される制御プログラムの実行に際して各種のデータ等を一時的に記憶するためのメモリであるＲＡＭ３１３（揮発性記憶手段）と、割込回路やタイマ回路、データ入出力回路などの各種回路が内蔵されている。ＲＡＭ３１３は、電力が供給されている間は各種のデータ（情報）を記憶保持し、電力供給が遮断されることでその記憶保持していた情報の保持が不可能となる機能を有している。つまり、電力供給が遮断されることで、それまで記憶保持されていたデータが消去される。ここで、この「消去」には、記憶保持されていたデータがクリアされることだけでなく、記憶保持されていたデータが破壊されてそのデータがＣＰＵ３１１において認識不可（読取不可）となることも含まれる。これは、以下に説明する他のＲＡＭについても同様である。
【０１２６】
ＣＰＵ３１１には、入力ポート及び出力ポートがそれぞれ設けられている。ＣＰＵ３１１の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、ＣＰＵ３１１（主制御回路３０２）には停電監視回路３０３を介して電力が供給される。
【０１２７】
一方、ＣＰＵ３１１の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０１２８】
停電監視回路３０３は、主制御回路３０２と電源及び発射制御基板３２１とを中継し、また電源及び発射制御基板３２１から出力される最大電圧である直流安定２４ボルトの電圧を監視する。そして、この電圧が規定電圧（２２ボルト）未満になると電源遮断の発生と判断し、主制御回路３０２のＣＰＵ３１１のＮＭＩ端子に停電信号を出力する。ＣＰＵ３１１では、停電監視回路３０３から停電信号を入力することにより、後述する停電時処理（電断時処理）を実行する。
【０１２９】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とが内蔵されている。
【０１３０】
払出制御基板３２２のＣＰＵ３３１には、入出力ポートが設けられている。ＣＰＵ３３１の入力側には、主制御基板３０１と、電源及び発射制御基板３２１と、裏パック基板２２９とが接続されている。また、ＣＰＵ３３１の出力側には、主制御基板３０１と裏パック基板２２９とが接続されている。
【０１３１】
音声ランプ制御基板３２４は、各種ランプ部２３〜２５やスピーカ部２６、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０１３２】
音声ランプ制御基板３２４のＣＰＵ３４１には入出力ポートが設けられている。ＣＰＵ３４１の入力側には中継端子板３２３に中継されて主制御基板３０１が接続されており、主制御基板３０１のＣＰＵ３１１から出力される各種コマンドに基づいて、各種ランプ部２３〜２５、スピーカ部２６、及び表示制御装置３２５を制御する。表示制御装置３２５は、音声ランプ制御基板３２４から入力する表示コマンドに基づいて図柄表示装置９１を制御する。
【０１３３】
電源及び発射制御基板３２１は、発射制御部３２１ａと電源部３２１ｂとを備えている。発射制御部３２１ａは、遊技者による遊技球発射ハンドル４１の操作にしたがって遊技球発射機構１１０の発射制御を担うものであり、遊技球発射機構１１０は所定の発射条件が整っている場合に駆動される。
【０１３４】
電源部３２１ｂは、例えば、遊技ホール等における商用電源（外部電源）に接続されている。そして、その商用電源から供給される外部電力に基づいて主制御基板３０１や払出制御基板３２２等に対して各々に必要な動作電力を生成するとともに、その生成した動作電力を二重線矢印で示す経路を通じて主制御基板３０１や払出制御基板３２２等に対して供給する。その概要としては、電源部３２１ｂは、裏パック接続基板２２９を介して供給される交流２４ボルト電源を取り込み、各種スイッチやモータ等を駆動するための＋１２Ｖ電圧、ロジック用の＋５Ｖ電圧などを生成し、これら＋１２Ｖ電圧、＋５Ｖ電圧を主制御基板３０１や払出制御基板３２２等に対して供給する。
【０１３５】
ここで、本実施形態では、電源及び発射制御基板３２１から主制御基板３０１のＲＡＭ３１３への電力供給に関して特徴的な構成を備えている。そこで、この特徴的な構成及びそれに関連した構成について図１５のブロック回路図に基づいて説明する。
【０１３６】
電源及び発射制御基板３２１の電源部３２１ｂからは、上記のとおり、主制御基板３０１のＣＰＵ３１１及び払出制御基板３２２のＣＰＵ３３１に電力が供給される。この構成について詳細には、電源及び発射制御基板３２１は、主制御基板３０１とハーネスＨ１を介して電気的に接続されているとともに、払出制御基板３２２とハーネスＨ２を介して電気的に接続されている。なお、これらハーネスＨ１，Ｈ２は、接続対象に対してコネクタを介して着脱自在に接続されている。
【０１３７】
電源部３２１ｂからは、ハーネスＨ１が備える電気配線の束のうち電力用配線ＥＬＮ１を通じて主制御基板３０１に電力が供給され、この電力によりＣＰＵ３１１が動作する。詳細には、電力用配線ＥＬＮ１を通じて主制御基板３０１に供給された電力は、ＣＰＵ３１１に設けられたＶＣＣ端子に入力され、この電力によりＣＰＵ３１１が動作する。また、電源部３２１ｂからは、ハーネスＨ２が備える電気配線の束のうち電力用配線ＥＬＮ２を通じて払出制御基板３２２に電力が供給され、この電力によりＣＰＵ３３１が動作する。
【０１３８】
上記のように電源及び発射制御基板３２１の電源部３２１ｂからは各電力用配線ＥＬＮ１，ＥＬＮ２を通じて主制御基板３０１のＣＰＵ３１１及び払出制御基板３２２のＣＰＵ３３１に電力が供給されるが、当該電力は主制御基板３０１のＲＡＭ３１３及び払出制御基板３２２のＲＡＭ３３３には供給されない。
【０１３９】
主制御基板３０１のＲＡＭ３１３に対しては、ハーネスＨ１が備える電気配線の束のうち電力用配線ＥＬＮ３を通じて電力が供給される。詳細には、電力用配線ＥＬＮ３を通じて主制御基板３０１に供給された電力は最終的に、ＣＰＵ３１１に設けられたＲＡＭ用端子（揮発性記憶手段用の電力入力部）としてのＶＢＢ端子に供給される。これにより、パチンコ機１０の電源がＯＮ状態の場合には、電源部３２１ｂからＲＡＭ３１３に電力が供給され、ＲＡＭ３１３においてデータの記憶保持が行われる。
【０１４０】
払出制御基板３２２のＲＡＭ３３３に対しては、ハーネスＨ２が備える電気配線の束のうち電力用配線ＥＬＮ４を通じて電力が供給される。詳細には、電力用配線ＥＬＮ４を通じて払出制御基板３２２に供給された電力は最終的に、ＣＰＵ３３１に設けられたＲＡＭ用端子（揮発性記憶手段用の電力入力部）としてのＶＢＢ端子に供給される。これにより、パチンコ機１０の電源がＯＮ状態の場合には、電源部３２１ｂからＲＡＭ３３３に電力が供給され、ＲＡＭ３３３においてデータの記憶保持が行われる。
【０１４１】
電源及び発射制御基板３２１には、上述した電源部３２１ｂの他に、電断時用電源部（電断時用電源手段又は停電時用電源手段）３２１ｃが搭載されている。電断時用電源部３２１ｃは、データ記憶保持用のコンデンサを備えてなる。電断時用電源部３２１ｃは、電源部３２１ｂに接続されており、パチンコ機１０の電源がＯＮ状態の場合に、すなわち、外部電源から電源及び発射制御基板３２１に電力の供給が行われている場合に、蓄電される。なお、電断時用電源部３２１ｃは、コンデンサに限定されることはなく、充電可能な電池（バッテリ又は蓄電池）や充電不可な電池であってもよい。但し、充電不可な電池においては、当然のことながら充電を行うことができないため、この点、充電を行うことができるコンデンサなどを用いることが好ましい。また、電断時用電源部３２１ｃには逆流防止用のダイオードが設けられており、コンデンサにて蓄電された電力が電源部３２１ｂ側に流入しないようになっている。
【０１４２】
電断時用電源部３２１ｃは、電源部３２１ｂと電力用配線ＥＬＮ３，ＥＬＮ４との電気経路の途中位置に介在している。これにより、パチンコ機１０の電源がＯＦＦ状態の場合や外部電源における停電発生時等といった電源遮断状態では、電断時用電源部３２１ｃから主制御基板３０１のＲＡＭ３１３及び払出制御基板３２２のＲＡＭ３３３に対して電力が供給される。よって、電源遮断状態であっても、電断時用電源部３２１ｃから電力が供給されている間はＲＡＭ３１３，３３３に記憶されたデータが消去されることなく保持される。
【０１４３】
ちなみに、電源遮断の発生時には後述する停電時処理（ステップＳ５１３〜ステップＳ５１６）が実行され、さらに上記電断時用電源部３２１ｃが設けられていることにより、電源遮断発生時においてＲＡＭ３１３，３３３に記憶されていた情報はそのまま記憶保持される。また、電断時用電源部３２１ｃの容量は比較的大きく確保されており、電源遮断前にＲＡＭ３１３，３３３に記憶されていた情報は所定の期間内（例えば、１日や２日）保持される。
【０１４４】
以上説明したように各ＲＡＭ３１３，３３３に対して電力が供給されるが、本実施形態では、主制御基板３０１と払出制御基板３２２との電気的な接続が解除された場合に主制御基板３０１のＲＡＭ３１３への電力の供給が停止される構成となっている。当該構成について以下に詳細に説明する。
【０１４５】
主制御基板３０１は、ハーネスＨ３を介して払出制御基板３２２と電気的に接続されている。このハーネスＨ３に設けられた信号用配線ＬＮ１により信号経路が形成されており、当該信号経路により両基板３０１，３２２間において情報の入出力が行われる。このハーネスＨ３は、その両端にコネクタＣＮ１，ＣＮ２を備えた接続ユニットであり、一方のコネクタＣＮ１が主制御基板３０１のコネクタＣＮ３に対して着脱自在に接続されており、他方のコネクタＣＮ２が払出制御基板３２２のコネクタＣＮ４に対して着脱自在に接続されている。
【０１４６】
ハーネスＨ３が備える電気配線の束内には、２本の電力用配線ＥＬＮ５，ＥＬＮ６が含まれている。このうち一方の電力用配線ＥＬＮ５は、主制御基板３０１に形成された中継回路ＥＣ１を介して電力用配線ＥＬＮ３と電気的に接続されている。また、電力用配線ＥＬＮ５と電力用配線ＥＬＮ６とは、払出制御基板３２２に形成された中継回路ＥＣ２を介して電気的に接続されている。また、電力用配線ＥＬＮ６は、主制御基板３０１に形成された中継回路ＥＣ３を介してＣＰＵ３１１のＶＢＢ端子と電気的に接続されている。つまり、電源及び発射制御基板３２１からＣＰＵ３１１のＶＢＢ端子への電力供給経路Ｒ１は、電力用配線ＥＬＮ３、中継回路ＥＣ１、電力用配線ＥＬＮ５、中継回路ＥＣ２、電力用配線ＥＬＮ６及び中継回路ＥＣ３により形成されており、当該電力供給経路Ｒ１以外の経路は存在していない。
【０１４７】
上記のように電力供給経路Ｒ１が形成されていることにより、ハーネスＨ３を取り外し主制御基板３０１と払出制御基板３２２との電気的な接続を解除した場合には電力供給経路Ｒ１が遮断され、主制御基板３０１のＲＡＭ３１３への電力の供給が停止される。そして、当該ＲＡＭ３１３に記憶保持されていたデータが消去される。また、電力供給経路Ｒ１は、外部電源からパチンコ機１０へ電力が供給されている状況及び電力が供給されていない状況の両方の状況において、ＲＡＭ３１３へ電力を供給するための経路であるため、いずれの状況でハーネスＨ３の取り外しが行われたとしても、ＲＡＭ３１３への電力の供給が停止される。
【０１４８】
本パチンコ機１０では、払出制御基板３２２を不正用基板に交換して不正に利益を得ようとする行為や、主制御基板３０１と払出制御基板３２２との間の電気経路の途中位置に不正用基板を介在させて不正に利益を得ようとする行為などが行われることが想定される。これに対して、上記のようにＲＡＭ３１３への電力供給経路Ｒ１が形成されていることにより、当該電力供給経路Ｒ１を遮断するような不正用基板が介在された場合には、その後、ＲＡＭ３１３が機能しなくなり、不正行為の効果を消失させることができる。
【０１４９】
また、中継回路が形成され電力供給経路Ｒ１を遮断しないような不正用基板が介在された場合であっても、その不正用基板の接続作業に際して電力供給経路Ｒ１が一旦遮断されるため、そのタイミングでＲＡＭ３１３への電力供給が停止され、当該ＲＡＭ３１３に記憶されていたデータが消去される。よって、上記不正行為が行われたことを主制御基板３０１のＣＰＵ３１１において把握することが可能となる。
【０１５０】
また、上記のような不正行為は、遊技ホールの閉店時などのようにパチンコ機１０の電源が遮断されている状況で行われることが想定される。これに対して、上記のとおり電力供給経路Ｒ１はＲＡＭ３１３への電断時用電力を供給する機能も有しているため、パチンコ機１０の電断時に上記不正行為が行われたとしても、電断前にＲＡＭ３１３に記憶されていたデータが消去され、当該不正行為が行われたことを主制御基板３０１のＣＰＵ３１１において把握することが可能となる。
【０１５１】
主制御基板３０１のＣＰＵ３１１では、後述するメイン処理（図２１）などにて、ＲＡＭ３１３に記憶されていたデータが消去されているか否かを判定し、その判定結果に基づいて異常時用の処理を実行する。これについては後に説明する。
【０１５２】
次に、図柄表示装置９１の表示内容について、図１６に基づいて説明する。
【０１５３】
図柄表示装置９１には、左・中・右の３つの図柄列が設定されている。各図柄列は、例えば「０」〜「９」の数字を各々付した主図柄と、例えば菱形状の絵図柄からなる副図柄とにより構成されている。各主図柄及び副図柄がそれぞれ第１図柄を構成している。各図柄列では、数字の昇順又は降順に主図柄が配列されると共に各主図柄の間に副図柄が配されている。すなわち、各図柄列には、１０個の主図柄及び１０個の副図柄の計２０個の第１図柄が備えられている。そして、図柄表示装置９１には、各図柄列毎に２０個の第１図柄が周期性をもって上から下へとスクロールするように変動表示されるようになっている。図柄表示装置９１には、各図柄列毎に上・中・下の３段の第１図柄が表示されるようになっている。従って、図柄表示装置９１には、３段×３列の計９個の第１図柄が表示される。また、図柄表示装置９１には、５つの有効ライン、すなわち上ラインＬ１、中ラインＬ２、下ラインＬ３、右上がりラインＬ４、左上がりラインＬ５が設定されている。そして、左図柄列→右図柄列→中図柄列の順に変動表示が停止し、その停止時にいずれかの有効ライン上に大当たり図柄の組合せ（本実施形態では、同一の主図柄の組合せ）で揃えば大当たりとして大当たり動画が表示されるようになっている。
【０１５４】
次に、上記の如く構成されたパチンコ機１０の動作について説明する。
【０１５５】
本実施形態では、主制御装置１６２内のＣＰＵ３１１は、遊技に際し各種カウンタ情報を用いて、大当たり抽選、第１特定ランプ部９３の発光色の設定や、図柄表示装置９１の図柄表示の設定などを行うこととしており、具体的には、図１７に示すように、大当たりの抽選に使用する大当たり乱数カウンタＣ１と、確変大当たりや通常大当たり等の大当たり種別を判定する際に使用する大当たり種別カウンタＣ２と、図柄表示装置９１が外れ変動する際のリーチ抽選に使用するリーチ乱数カウンタＣ３と、大当たり乱数カウンタＣ１の初期値設定に使用する乱数初期値カウンタＣＩＮＩと、図柄表示装置９１の変動パターン選択に使用する第１変動種別カウンタＣＳ１と、第１特定ランプ部９３に表示される色の切り替えを行う期間を決定する第２変動種別カウンタＣＳ２と、左列、中列及び右列の各外れ図柄の設定に使用する左・中・右の各外れ図柄カウンタＣＬ，ＣＭ，ＣＲとを用いることとしている。
【０１５６】
このうち、カウンタＣ１〜Ｃ３，ＣＩＮＩ，ＣＳ１，ＣＳ２は、その更新の都度前回値に１が加算され、最大値に達した後０に戻るループカウンタとなっている。また、外れ図柄カウンタＣＬ，ＣＭ，ＣＲは、ＣＰＵ３１１内のＲレジスタ（リフレッシュレジスタ）を用いてレジスタ値が加算され、結果的に数値がランダムに変化する構成となっている。各カウンタは短時間間隔で更新され、その更新値がＲＡＭ３１３の所定領域に設定されたカウンタ用バッファに適宜格納される。ＲＡＭ３１３には、１つの実行エリアと４つの保留エリア（保留第１〜第４エリア）とからなる保留球格納エリアが設けられており、これらの各エリアには、作動口８４への遊技球の入賞履歴に合わせて、大当たり乱数カウンタＣ１、大当たり種別カウンタＣ２及びリーチ乱数カウンタＣ３の各値が時系列的に格納されるようになっている。
【０１５７】
各カウンタについて詳しくは、大当たり乱数カウンタＣ１は、例えば０〜６７６の範囲内で順に１ずつ加算され、最大値（つまり６７６）に達した後０に戻る構成となっている。特に大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタである（値＝０〜６７６）。大当たり乱数カウンタＣ１は定期的に（本実施形態ではタイマ割込み毎に1回）更新され、遊技球が作動口８４に入賞したタイミングでＲＡＭ３１３の保留球格納エリアに格納される。
【０１５８】
大当たり種別カウンタＣ２は、０〜４９の範囲内で順に１ずつ加算され、最大値（つまり４９）に達した後０に戻る構成となっている。そして、本実施形態では、大当たり種別カウンタＣ２によって、大当たりが終了した後に、確変状態とするか通常状態とするかを決定することとしている。大当たり種別カウンタＣ２は定期的に（本実施形態ではタイマ割込み毎に１回）更新され、遊技球が作動口８４に入賞したタイミングでＲＡＭ３１３の保留球格納エリアに格納される。
【０１５９】
リーチ乱数カウンタＣ３は、例えば０〜２３８の範囲内で順に１ずつ加算され、最大値（つまり２３８）に達した後０に戻る構成となっている。本実施形態では、リーチ乱数カウンタＣ３によって、リーチ発生した後最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチ発生しない「完全外れ」とを抽選することとしている。リーチ乱数カウンタＣ３は定期的に（本実施形態ではタイマ割込み毎に１回）更新され、遊技球が作動口８４に入賞したタイミングでＲＡＭ３１３の保留球格納エリアに格納される。
【０１６０】
第１変動種別カウンタＣＳ１は、例えば０〜１９８の範囲内で順に１ずつ加算され、最大値（つまり１９８）に達した後０に戻る構成となっており、第２変動種別カウンタＣＳ２は、例えば０〜２４０の範囲内で順に１ずつ加算され、最大値（つまり２４０）に達した後０に戻る構成となっている。第１変動種別カウンタＣＳ１によって、いわゆるノーマルリーチ、スーパーリーチ、プレミアムリーチ等、第１図柄のリーチ種別やその他大まかな図柄変動態様といった図柄表示装置９１の表示態様が決定され、第２変動種別カウンタＣＳ２によって、第１特定ランプ部９３に表示される色の切り替えを行う期間としての切替表示時間が決定される。また、この切替表示時間は、図柄表示装置９１の図柄の変動時間に相当する。従って、当該第２変動種別カウンタＣＳ２によって、図柄表示装置９１においてリーチが発生した後に最終停止図柄（本実施形態では中図柄）が停止するまでの経過時間（言い換えれば、変動図柄数）などより細かな図柄変動態様も決定されることとなる。つまり、図柄表示装置９１に関しては、これらの両変動種別カウンタＣＳ１，ＣＳ２を組み合わせることで、変動パターンの多種多様化を容易に実現できる。両変動種別カウンタＣＳ１，ＣＳ２は、後述する通常処理が１回実行される毎に１回更新され、当該通常処理内の残余時間内でも繰り返し更新される。そして、第１特定ランプ部９３に表示される色の切り替え開始時及び図柄表示装置９１による第１図柄の変動開始時における変動パターン決定に際して両変動種別カウンタＣＳ１，ＣＳ２のバッファ値が取得される。
【０１６１】
左・中・右の各外れ図柄カウンタＣＬ，ＣＭ，ＣＲは、大当たり抽選が外れとなった時に左列第１図柄、中列第１図柄、右列第１図柄の外れ停止図柄を決定するためのものであり、各列では主図柄及び副図柄の合わせて２０の第１図柄の何れかが表示されることから、各々に２０個（０〜１９）のカウンタ値が用意されている。外れ図柄カウンタＣＬにより左図柄列の上・中・下段の各図柄が決定され、外れ図柄カウンタＣＭにより中図柄列の上・中・下段の各図柄が決定され、外れ図柄カウンタＣＲにより右図柄列の上・中・下段の各図柄が決定される。
【０１６２】
本実施形態では、ＣＰＵ３１１に内蔵のＲレジスタの数値を用いることにより各カウンタＣＬ，ＣＭ，ＣＲの値をランダムに更新する構成としている。すなわち、各外れ図柄カウンタＣＬ，ＣＭ，ＣＲの更新時には、前回値にＲレジスタの下位３ビットの値が加算され、その加算結果が最大値を超えた場合に２０減算されて今回値が決定される。各外れ図柄カウンタＣＬ，ＣＭ，ＣＲは更新時期が重ならないようにして通常処理内で更新され、それら外れ図柄カウンタＣＬ，ＣＭ，ＣＲの組み合わせが、ＲＡＭ３１３の前後外れリーチ図柄バッファ、前後外れ以外リーチ図柄バッファ及び完全外れ図柄バッファの何れかに格納される。そして、第１図柄の変動開始時における変動パターン決定に際し、リーチ乱数カウンタＣ３の値に応じて前後外れリーチ図柄バッファ、前後外れ以外リーチ図柄バッファ及び完全外れ図柄バッファの何れかのバッファ値が取得される。
【０１６３】
なお、図示は省略するが、第２特定ランプ部９４の抽選には第２特定ランプ乱数カウンタが用いられる。第２図柄乱数カウンタは、例えば０〜２５０の範囲内で順に１ずつ加算され、最大値（つまり２５０）に達した後０に戻るループカウンタとして構成されている。第２特定ランプ乱数カウンタは定期的に（本実施形態ではタイマ割込み毎に１回）更新され、遊技球がスルーゲート８５を通過したことが検知された時に取得される。
【０１６４】
次に、主制御基板３０１のＣＰＵ３１１により実行される各制御処理を図１８〜図２２のフローチャート等を参照しながら説明する。かかるＣＰＵ３１１の処理としては大別して、電源投入に伴い起動されるメイン処理と、定期的に（本実施形態では２ｍｓｅｃ周期で）起動されるタイマ割込み処理と、ＮＭＩ端子（ノンマスカブル端子）への停電信号の入力により起動されるＮＭＩ割込み処理とがあり、説明の便宜上、はじめにＮＭＩ割込み処理とタイマ割込み処理とを説明し、その後メイン処理を説明する。
【０１６５】
図１８は、ＮＭＩ割込み処理であり、当該処理は、停電の発生等によるパチンコ機１０の電源遮断発生時に実行される。すなわち、停電の発生等によりパチンコ機１０の電源が遮断される場合には、停電信号が電源監視回路３０３からＣＰＵ３１１のＮＭＩ端子に出力され、ＣＰＵ３１１は実行中の制御を中断してＮＭＩ割込み処理を開始する。ＮＭＩ割込み処理では、ステップＳ１０１にてＲＡＭ３１３に設けられた停電フラグ格納エリア（電断時情報記憶部）に停電フラグをセットし（電断時情報を記憶させ）、本処理を終了する。その後、後述する通常処理にて停電フラグがセットされていることが確認されることで、停電時処理が実行される。
【０１６６】
次に、タイマ割込み処理について図１９のフローチャートを用いて説明する。
【０１６７】
先ずステップＳ２０１では、各種スイッチや払出制御基板３２２などからの信号読み込み処理を実行する。その後、ステップＳ２０２では、乱数初期値カウンタＣＩＮＩの更新を実行する。具体的には、乱数初期値カウンタＣＩＮＩを１加算すると共に、そのカウンタ値が最大値（本実施形態では６７６）に達した際０にクリアする。そして、乱数初期値カウンタＣＩＮＩの更新値を、ＲＡＭ３１３の該当するバッファ領域に格納する。続くステップＳ２０３では、大当たり乱数カウンタＣ１、大当たり種別カウンタＣ２及びリーチ乱数カウンタＣ３の更新を実行する。具体的には、大当たり乱数カウンタＣ１、大当たり種別カウンタＣ２及びリーチ乱数カウンタＣ３をそれぞれ１加算すると共に、それらのカウンタ値が最大値（本実施形態ではそれぞれ、６７６，４９，２３８）に達した際それぞれ０にクリアする。そして、各カウンタＣ１〜Ｃ３の更新値を、ＲＡＭ３１３の該当するバッファ領域に格納する。その後、ステップＳ２０４では、始動入賞処理を実行する。
【０１６８】
始動入賞処理では、図２０のフローチャートに示すように、先ずステップＳ３０１にて、ＲＡＭ３１３の作動口フラグ格納エリアに作動口フラグが格納されているか否かを判定することにより、遊技球が作動口８４に入賞（始動入賞）したか否かを判定する。遊技球が作動口８４に入賞したと判定すると、続くステップＳ３０２において、第１特定ランプ部９３及び図柄表示装置９１の作動保留球数Ｎが上限値（本実施形態では４）未満であるか否かを判定する。作動口８４への入賞があり、且つ作動保留球数Ｎ＜４であることを条件にステップＳ３０３に進み、作動保留球数Ｎを１加算する。続くステップＳ３０４では、前記ステップＳ１０３で更新した大当たり乱数カウンタＣ１、大当たり種別カウンタＣ２及びリーチ乱数カウンタＣ３の各値を、ＲＡＭ３１３の保留球格納エリアの空き記憶エリアのうち最初のエリアに格納する。
【０１６９】
タイマ割込み処理（図１９）の説明に戻り、ステップＳ２０４にて始動入賞処理を実行した後は、ステップＳ２０５〜ステップＳ２０６のＲＡＭ消去確認処理を実行する。ＲＡＭ消去確認処理では、先ずステップＳ２０５にてＲＡＭ３１３の確認用フラグ格納エリア（確認用情報記憶部）に確認用フラグ（確認用情報）が格納されているか否かを判定する。この確認用フラグは、後述するように、パチンコ機１０の電源投入に際してセットされ、ＲＡＭ３１３への電力供給が停止されることで消去されるフラグである。
【０１７０】
確認用フラグが格納されている場合には、そのまま本タイマ割込み処理を終了する。確認用フラグが格納されていない場合には、ステップＳ２０６にて異常報知処理を実行する。この異常報知処理では、異常コマンドをセットするとともに、遊技ホールを管理する管理コンピュータ（又はホールコンピュータ）に異常信号を出力する。ここでセットされた異常コマンドは、後述する通常処理（図２２）の外部出力処理（ステップＳ５０１）にて音声ランプ制御基板３２４に出力され、音声ランプ制御基板３２４では、各種ランプ部２３〜２５、スピーカ部２６及び表示制御装置３２５を駆動制御することにより、周囲に分かる態様で異常報知を実行させる。また、管理コンピュータでは、パチンコ機１０から異常信号を入力することで、その事実を記憶するとともに、遊技ホールの管理者等に報知する。
【０１７１】
かかる構成とすることにより、例えば遊技ホールの開店中において、主制御基板３０１と払出制御基板３２２とを電気的に接続するハーネスＨ３（図１５参照）を取り外して不正行為が行われた場合には、その事実を遊技ホールの管理者等に報知することができる。
【０１７２】
なお、異常報知処理の態様は上記のものに限定されることはなく、各種ランプ部２３〜２５における報知、スピーカ部２６における報知、表示制御装置３２５における報知、及び管理コンピュータにおける報知のいずれか１つを行う構成としてもよく、いずれかの組合せを行う構成としてもよい。また、主制御装置１６２の基板ボックス１６３内に報知用のＬＥＤなどを設け、そのＬＥＤを点灯させることで上記異常報知を行う構成としてもよい。これは、以下の特定報知処理についても同様である。
【０１７３】
ステップＳ２０６の処理を実行した後、ＣＰＵ３１１は本タイマ割込み処理を一旦終了する。
【０１７４】
次に、電源投入時のリセットに伴い起動されるメイン処理について、図２１のフローチャートを用いて説明する。
【０１７５】
先ずステップＳ４０１では、電源投入に伴う初期設定処理を実行する。具体的には、従側の制御基板（払出制御基板３２２等）が動作可能な状態になるのを待つために例えば１秒程度、ウェイト処理を実行する。続くステップＳ４０２では、ＲＡＭ３１３のアクセスを許可する。
【０１７６】
その後、ステップＳ４０３では、電源及び発射制御装置２４３に設けたＲＡＭ消去スイッチ２４７がオンされているか否かを判定する。本パチンコ機１０では、例えばホールの営業開始時など、電源投入時にＲＡＭデータを初期化する場合にはＲＡＭ消去スイッチ２４７を押しながら電源が投入される。従って、ＲＡＭ消去スイッチ２４７が押されていれば、ステップＳ４０４〜Ｓ４０６の処理に移行する。
【０１７７】
ステップＳ４０４では、従側の制御基板となる払出制御基板３２２を初期化するために、払出初期化コマンドを出力する。続くステップＳ４０５ではＲＡＭ３１３の使用領域を０にクリアし、ステップＳ４０６ではＲＡＭ３１３の初期化処理を実行する。その後、ステップＳ４０７にてＲＡＭ３１３の確認用フラグ格納エリアに確認用フラグを格納する。この場合、既に確認フラグが格納されている場合にはその状態を維持する。その後、ステップＳ４０８にて割込み許可を設定し、後述する通常処理に移行する。
【０１７８】
一方、ＲＡＭ消去スイッチ２４７が押されていない場合には、ステップＳ４０３にて否定判定をし、ステップＳ４０９に進む。ステップＳ４０９ではＲＡＭ３１３の停電フラグ格納エリアに停電フラグが格納されているか否かを判定する。また、ステップＳ４１０ではＲＡＭ３１３の確認用フラグ格納エリアに確認用フラグが格納されているか否かを判定する。また、ステップＳ４１１ではＲＡＭ判定値を算出し、続くステップＳ４１２では、そのＲＡＭ判定値が電源遮断時に保存したＲＡＭ判定値と一致するか否か、すなわち記憶保持されたデータの有効性を判定する。ＲＡＭ判定値は、ＲＡＭ３１３の作業領域アドレスにおけるチェックサム値である。なお、このチェックサム値は全ての作業領域アドレスについてのものとしてもよく、一部の作業領域アドレスについてのものとしてもよい。また、ＲＡＭ３１３の所定のエリアに書き込まれたキーワードが正しく保存されているか否かにより記憶保持されたデータの有効性を判断することも可能である。
【０１７９】
停電フラグが格納されていない場合、確認用フラグが格納されていない場合又はＲＡＭ判定値（チェックサム値等）により記憶保持されたデータの異常が確認された場合には、ステップＳ４１３に進む。ステップＳ４１３では、異常報知処理を実行する。
【０１８０】
この異常報知処理では、異常コマンドを音声ランプ制御基板３２４に出力するとともに、遊技ホールを管理する管理コンピュータ（又はホールコンピュータ）に異常信号を出力する。音声ランプ制御基板３２４では、主制御基板３０１から異常コマンドを入力することにより、各種ランプ部２３〜２５、スピーカ部２６及び表示制御装置３２５を駆動制御し、周囲に分かる態様で異常報知を実行させる。また、管理コンピュータでは、パチンコ機１０から異常信号を入力することで、その事実を記憶するとともに、遊技ホールの管理者等に報知する。
【０１８１】
上記構成とすることにより、例えば遊技ホールの閉店時においてパチンコ機１０の電源の投入を行うことなく、主制御基板３０１と払出制御基板３２２とを電気的に接続するハーネスＨ３（図１５参照）を取り外して不正行為が行われた場合には、少なくとも停電フラグが消去される。そして、再度のパチンコ機１０の電源投入時には停電フラグが格納されていないことを確認することで、上記不正行為が行われたことを主制御基板３０１のＣＰＵ３１１にて把握することができ、さらにそれに対して異常報知処理として対処することができる。なお、上記不正行為が行われた場合にはＲＡＭ判定値も異常となるため、主制御基板３０１のＣＰＵ３１１ではＲＡＭ判定値が異常となっていることに基づいて上記不正行為が行われたことを把握することができる。
【０１８２】
また、例えば遊技ホールの閉店時においてパチンコ機１０の電源を投入し、その状況において主制御基板３０１と払出制御基板３２２とを電気的に接続するハーネスＨ３（図１５参照）を取り外して不正行為が行われた場合には、確認用フラグが消去され、その後にパチンコ機１０の電源の遮断操作が行われたとしても、その確認用フラグが消去された状態が維持される。そして、再度のパチンコ機１０の電源投入時には確認用フラグが格納されていないことを確認することで、上記不正行為が行われたことを主制御基板３０１のＣＰＵ３１１にて把握することができ、さらにそれに対して異常報知処理として対処することができる。
【０１８３】
ステップＳ４１３にて異常報知処理を実行した後は、上述したステップＳ４０４〜ステップＳ４０８の処理を実行した後に、後述する通常処理に移行する。
【０１８４】
一方、停電フラグが格納されていること、確認用フラグが格納されていること及びＲＡＭ判定値（チェックサム値等）が正常であることを条件に、ステップＳ４１４に進む。ステップＳ４１４では、停電フラグ格納エリアに格納されている停電フラグをクリアし、ステップＳ４１５では従側の制御基板を電源遮断前の遊技状態に復帰させるための復帰コマンドを出力する。その後、上述したステップＳ４０７〜ステップＳ４０８の処理を実行した後に、後述する通常処理に移行する。これにより、電源遮断前の状態に復帰する。
【０１８５】
次に、通常処理について、図２２のフローチャートを用いて説明する。この通常処理では遊技の主要な処理が実行される。その概要として、ステップＳ５０１〜Ｓ５０９の処理が４ｍｓｅｃ周期の定期処理として実行され、その残余時間でステップＳ５１１，Ｓ５１２のカウンタ更新処理が実行される構成となっている。
【０１８６】
通常処理において、ステップＳ５０１では、前回の処理で更新されたコマンド等の出力データを従側の各制御基板に出力する。具体的には、後述するコマンド設定処理にてセットされたコマンドを払出制御基板３２２等に対して出力する。また、図柄表示装置９１による第１図柄の変動表示に際して停止図柄コマンド、変動態様コマンド等を音声ランプ制御基板３２４に出力する。
【０１８７】
次に、ステップＳ５０２では、両変動種別カウンタＣＳ１，ＣＳ２の更新を実行する。具体的には、両変動種別カウンタＣＳ１，ＣＳ２を１加算すると共に、それらのカウンタ値が最大値（本実施形態では１９８，２４０）に達した際それぞれ０にクリアする。そして、両変動種別カウンタＣＳ１，ＣＳ２の更新値を、ＲＡＭ３１３の該当するバッファ領域に格納する。続くステップＳ５０３では、左図柄列、中図柄列及び右図柄列の各外れ図柄カウンタＣＬ，ＣＭ，ＣＲの更新を実行する。
【０１８８】
外れ図柄カウンタＣＬ，ＣＭ，ＣＲの更新処理では、左・中・右図柄列のいずれかの更新時期か否かを判定し、更新時期となった図柄列の外れ図柄カウンタＣＬ，ＣＭ，ＣＲを更新する。各外れ図柄カウンタＣＬ，ＣＭ，ＣＲは、重複することなく１回の通常処理で１つずつ順に更新され、通常処理を３回実行する毎に外れ図柄カウンタＣＬ，ＣＭ，ＣＲの１セット分が更新されるようになっている。そして、更新した外れ図柄カウンタＣＬ，ＣＭ，ＣＲの組み合わせが、前後外れリーチとなる外れリーチ図柄の組合せである場合、前後外れ以外リーチ図柄の組合せである場合、リーチとならない完全外れ図柄の組合せである場合には、その組合せがそれぞれに対応したバッファ内に格納される。なお、更新した外れ図柄カウンタＣＬ，ＣＭ，ＣＲの組合せが大当たり図柄の組合せである場合には、そのまま更新処理を終了する。
【０１８９】
外れ図柄カウンタＣＬ，ＣＭ，ＣＲの更新処理の後は、ステップＳ５０４にてコマンド設定処理を実行する。このコマンド設定処理では、払出制御基板３２２や音声ランプ制御基板３２４に出力するコマンドの設定を実行する。かかる処理で設定されるコマンドとしては、払出制御基板３２２に出力される賞球コマンドがある。
【０１９０】
コマンド設定処理の後は、ステップＳ５０５にて第１特定ランプ部９３に表示される色の切り替えを行うための第１特定ランプ部制御処理を実行する。第１特定ランプ部制御処理では、大当たり判定や第１特定ランプ部９３に配設されたＬＥＤランプの光源スイッチのオンオフ制御などが行われる。また、第１特定ランプ部制御処理において、図柄表示装置９１による第１図柄の変動表示の設定も行われる。
【０１９１】
具体的には、大当たり乱数カウンタＣ１の値に基づいて大当たりか否かを判定し、さらに大当たり種別カウンタＣ２の値に基づいて大当たりの種類を決定する（いわゆる、確変大当たりか否かを決定する）。なお、この際、第１図柄における大当たり図柄の種類及び大当たり図柄の組合せの停止ラインも決定し、停止図柄コマンドとして設定する。また、大当たりが発生しないと判定された場合には、リーチ乱数カウンタＣ３の値に基づいて第１図柄における外れ図柄の組合せの態様を決定する。かかる場合に、上記外れ図柄カウンタ更新処理にて更新されバッファ内に格納された図柄の組合せを停止図柄コマンドとして設定する。さらに、第２変動種別カウンタＣＳ２の値に基づいて、第１特定ランプ部９３に表示される色の切替表示時間、及び第１図柄の変動表示時間を決定する。さらに、第１変動種別カウンタＣＳ１の値に基づいて第１図柄におけるリーチ種別やその大まかな図柄変動態様を決定し、変動態様コマンドとして設定する。なお、当該第１特定ランプ部制御処理にて第１特定ランプ部９３のオンオフ制御が開始される毎に作動保留球数Ｎが１減算され、作動保留球数Ｎが０の場合にはオンオフ制御が開始されない。
【０１９２】
第１特定ランプ部制御処理の後は、ステップＳ５０６にて大入賞口開閉処理を実行する。大入賞口開閉処理では、大当たり状態である場合において可変入賞装置８３の大入賞口を開放又は閉鎖する。すなわち、大当たり状態のラウンド毎に大入賞口を開放し、大入賞口の最大開放時間が経過したか、又は大入賞口に遊技球が規定数だけ入賞したかを判定する。この規定数だけ入賞したか否かの判定は、上述した大入賞口用カウンタを確認することにより行われる。そして、これら何れかの条件が成立すると大入賞口を閉鎖する。
【０１９３】
その後、ステップＳ５０７では、第２特定ランプ部９４に表示される色の切り替え処理を行うための第２特定ランプ部制御処理を実行する。第２特定ランプ制御処理では、ゲート保留球数が１以上であることを条件に第２特定ランプ部９４における表示色の切り換えを開始する。この際、表示色の切り換え時間も設定する。また、既に取得されている第２特定ランプ乱数カウンタの値に基づいて停止表示する色を設定する。この停止表示される色として所定の色が設定された場合には、その色の停止表示後に、作動口８４に付随する電動役物が所定時間開放される。
【０１９４】
ステップＳ５０７の後は、ステップＳ５０８にて、遊技球発射制御処理を実行する。遊技球発射制御処理では、電源及び発射制御基板３２１の発射制御部３２１ａから発射許可信号を入力していることを条件として、所定期間（例えば、０．６ｓｅｃ）に１回、遊技球発射機構１１０のソレノイド１１１を励磁する。これにより、発射レール１１２上にある遊技球が遊技領域に向けて打ち出される。
【０１９５】
ステップＳ５０８の後はステップＳ５０９にて、ＲＡＭ３１３内に設けられた停電フラグ格納エリアに停電フラグが格納されているか否かを判定する。停電フラグが格納されていない場合は、繰り返し実行される複数の処理の最後の処理が終了したこととなるので、ステップＳ５１０にて次の通常処理の実行タイミングに至ったか否か、すなわち前回の通常処理の開始から所定時間（本実施形態では４ｍｓｅｃ）が経過したか否かを判定する。そして、次の通常処理の実行タイミングに至るまでの残余時間内において、乱数初期値カウンタＣＩＮＩ及び両変動種別カウンタＣＳ１，ＣＳ２の更新を繰り返し実行する。つまり、ステップＳ５１１では、乱数初期値カウンタＣＩＮＩの更新を実行する。具体的には、乱数初期値カウンタＣＩＮＩを１加算すると共に、そのカウンタ値が最大値（本実施形態では６７６）に達した際０にクリアする。そして、乱数初期値カウンタＣＩＮＩの更新値を、ＲＡＭ３１３の該当するバッファ領域に格納する。また、ステップＳ５１２では、両変動種別カウンタＣＳ１，ＣＳ２の更新を実行する。具体的には、両変動種別カウンタＣＳ１，ＣＳ２を１加算すると共に、それらのカウンタ値が最大値（本実施形態では１９８，２４０）に達した際それぞれ０にクリアする。そして、両変動種別カウンタＣＳ１，ＣＳ２の更新値を、ＲＡＭ３１３の該当するバッファ領域に格納する。
【０１９６】
一方、ステップＳ５０９にて、停電フラグが格納されていると判定した場合は、電源遮断が発生したことになるので、ステップＳ５１３以降の停電時処理を実行する。つまり、ステップＳ５１３では、タイマ割込み処理の発生を禁止し、その後、ステップＳ５１４にて電源が遮断されたことを示す停電コマンドを他の制御基板に対して出力する。そして、ステップＳ５１５にてＲＡＭ判定値を算出、保存し、ステップＳ５１６にてＲＡＭ３１３のアクセスを禁止した後に、電源が完全に遮断して処理が実行できなくなるまで無限ループを継続する。
【０１９７】
次に、払出制御基板３２２のＣＰＵ３３１により実行される各制御処理を図２３〜図２６のフローチャートを参照しながら説明する。かかるＣＰＵ３３１の処理としては大別して、主制御基板３０１のＣＰＵ３１１からのコマンドの入力により起動される入力時割込み処理と、電源投入に伴い起動されるメイン処理と、定期的に（本実施形態では２ｍｓｅｃ周期で）起動されるタイマ割込み処理とがあり、説明の便宜上、はじめに入力時割込み処理を説明し、その後、メイン処理、タイマ割込み処理の順で説明する。
【０１９８】
入力時割込み処理は、主制御基板３０１のＣＰＵ３１１からコマンドを入力した場合に後述する他の処理を中断して実行される。入力時割込み処理では、図２３のフローチャートに示すように、ステップＳ６０１にて主制御基板３０１のＣＰＵ３１１からのコマンドをＲＡＭ３３３のコマンド格納エリアに記憶し、その後、ステップＳ６０２にてＲＡＭ３３３に設けられたコマンド入力フラグ格納エリアにコマンド入力フラグを格納し、本処理を終了する。
【０１９９】
次に、払出制御基板３２２のＣＰＵ３３１に実行されるメイン処理を、図２４のフローチャートを用いて説明する。このメイン処理は、電源投入時のリセットに伴い起動される。
【０２００】
まず、ステップＳ７０１では、電源投入に伴う初期設定処理を実行する。具体的には、割込みモードを設定する。そして、ステップＳ７０２に進んでＲＡＭアクセスを許可すると共に、ステップＳ７０３で外部割込みベクタの設定を行う。
【０２０１】
その後、ステップＳ７０４では、ＲＡＭ３３３の停電フラグ格納エリアに停電フラグが格納されているか否かを判定する。また、ステップＳ７０５ではＲＡＭ判定値を算出し、続くステップＳ７０６では、そのＲＡＭ判定値が電源遮断時に保存したＲＡＭ判定値と一致するか否か、すなわち記憶保持されたデータの有効性を判定する。ＲＡＭ判定値は、例えばＲＡＭ３３３の作業領域アドレスにおけるチェックサム値である。なお、ＲＡＭ３３３の所定のエリアに書き込まれたキーワードが正しく保存されているか否かにより記憶保持されたデータの有効性を判断することも可能である。
【０２０２】
停電フラグが格納されていない場合や、ＲＡＭ判定値（チェックサム値等）により記憶保持されたデータの異常が確認された場合はＲＡＭ３３３の初期化処理（ステップＳ７１１〜Ｓ７１３）に移行する。つまり、ステップＳ７１１ではＲＡＭ３３３の全領域を０にクリアし、続くステップＳ７１２ではＲＡＭ３３３の初期化処理を実行する。また、ステップＳ７１３ではＣＰＵ周辺デバイスの初期設定を行う。
【０２０３】
一方、停電フラグが格納されており、さらにＲＡＭ判定値（チェックサム値等）が正常である場合は、復電時の処理（停電による電源遮断後の復旧時の処理）を実行する。つまり、ステップＳ７０７にて停電フラグをクリアすると共に、ステップＳ７０８にて賞球の払出を許可する払出許可フラグをクリアする。また、ステップＳ７０９ではＣＰＵ周辺デバイスの初期設定を行う。なお、ＲＡＭ判定値は、例えばＲＡＭ３３３の作業領域アドレスにおけるチェックサム値である。
【０２０４】
ステップＳ７０９又はステップＳ７１３の処理の後は、ステップＳ７１０にて割込みを許可し、ステップＳ７１４にてＲＡＭ３３３の停電フラグ格納エリアに停電フラグが格納されているか否かを判定し、停電フラグが格納されていなければ、停電フラグが格納されるまで待機する。
【０２０５】
一方、停電フラグが格納されている場合には、停電が発生したことになるので、停電時処理としてステップＳ７１５移行の処理を実行する。停電時処理では、先ずステップＳ７１５にて各割込み処理の発生を禁止する。その後、ステップＳ７１６にてＲＡＭ判定値を算出、保存し、ステップＳ７１７にてＲＡＭ３３３のアクセスを禁止して、電源が完全に遮断して処理が実行できなくなるまで無限ループを継続する。なお、電源が完全に遮断された後も、電源及び発射制御基板３２１からＲＡＭ３３３の電断時用電力が供給されるため、電源遮断前にＲＡＭ３３３に記憶されていた情報は所定の期間内（例えば、１日や２日）保持される。
【０２０６】
次に、払出制御基板３２２のＣＰＵ３３１により例えば２ｍｓｅｃ毎に実行されるタイマ割込み処理について、図２５のフローチャートを用いて説明する。
【０２０７】
先ずステップＳ８０１では、主制御基板３０１のＣＰＵ３１１から入力したコマンドの判定を行うコマンド判定処理を実行する。このコマンド判定処理では、図２６に示すように、ステップＳ９０１にて、ＲＡＭ３３３のコマンド入力フラグ格納エリアにコマンド入力フラグが格納されているか否かを判定する。コマンド入力フラグが格納されていない場合は、新たなコマンドが主制御基板３０１のＣＰＵ３１１から出力されていないので、そのまま本処理を終了する。一方、コマンド入力フラグが格納されていた場合は、ステップＳ９０２にてコマンド読出し処理を実行する。コマンド読出し処理では、入力したコマンドをＲＡＭ３３３のコマンドバッファから読出し、さらにコマンド入力フラグをクリアする。
【０２０８】
その後、読み出されたコマンドの種類を、ステップＳ９０３、ステップＳ９０５、ステップＳ９１０及びステップＳ９１１の各処理にて判定し、各コマンドに対応した処理を実行する。つまり、ステップＳ９０３では、停電コマンドであるか否かを判定し、当該コマンドである場合には、ステップＳ９０４にてＲＡＭ３３３の停電フラグ格納エリアに停電フラグを格納して、本処理を終了する。
【０２０９】
ステップＳ９０５では、払出初期化コマンドであるか否かを判定し、当該コマンドである場合には、電源投入時に主制御基板３０１のＣＰＵ３１１からＲＡＭ３３３の初期化が指示されていることになるので、ステップＳ９０６〜ステップＳ９０９の処理を実行した後に本処理を終了する。ステップＳ９０６では、ＲＡＭ３３３に設けられた払出許可フラグ格納エリアに払出許可フラグが格納されているか否かを判定し、当該フラグが格納されていない場合は、ステップＳ９０７にてＲＡＭ３３３の作業領域を０にクリアし、さらにステップＳ９０８にてＲＡＭ３３３の初期値を設定する。その後、ステップＳ９０９にて払出許可フラグを格納することで、賞球の払出が許可される。
【０２１０】
なお、ステップＳ９０６において払出許可フラグが格納されている場合は、ステップＳ９０７及びステップＳ９０８の処理を行うことなく本処理を終了する。かかる構成とすることにより、ＲＡＭ消去スイッチ２４７が押されていないにも関わらずノイズなどの原因で払出初期化コマンドの入力を認識したとしても、その際に残っている賞球が遊技者に払い出されることなく消去されることを防止できる。
【０２１１】
ステップＳ９１０では、復電コマンドであるか否かを判定し、当該コマンドである場合には、払出制御基板３２２が停電による電源遮断の前の状態に復帰するので、ステップＳ９０９にて払出許可フラグを格納した後に本処理を終了する。かかる構成とすることにより、電源遮断前に賞球が残っていた場合に当該賞球を即座に払い出すことができる。
【０２１２】
ステップＳ９１１では、賞球コマンドである否かを判定し、当該コマンドである場合には、ステップＳ９１２にて賞球コマンドに対応した賞球個数を総賞球個数に加算した後に、ステップＳ９０９にて払出許可フラグを格納し本処理を終了する。
【０２１３】
タイマ割込み処理（図２５）の説明に戻り、コマンド判定処理を実行した後は、ステップＳ８０２にて払出許可フラグが格納されているか否かを判定する。払出許可フラグが格納されていない場合は、そのまま本処理を終了する。一方、払出許可フラグが格納されている場合は、ステップＳ８０３にて状態復帰スイッチ２４５をチェックして、状態復帰動作開始と判定した場合に状態復帰動作を実行する。
【０２１４】
また、ステップＳ８０４では、タンク球の状態の変化に応じてタンク球無し状態又はタンク球無し解除状態の設定を実行する。すなわち、タンク球無しスイッチの検知信号によりタンク球無し状態を判定し、タンク球無しになった時、タンク球無し状態の設定を実行し、タンク球無しでなくなった時、タンク球無し解除状態の設定を実行する。
【０２１５】
その後、ステップＳ８０５では、報知する状態の有無を判定し、報知する状態が有る場合には払出制御装置２４２に設けた７セグメントＬＥＤにより報知する。
【０２１６】
ステップＳ８０６〜Ｓ８０８では、賞球払出の処理を実行する。この場合、賞球の払出不可状態でなく且つ前記ステップＳ８０１のコマンド判定処理で記憶した総賞球個数が「０」でなければ（ステップＳ８０６，Ｓ８０７が共にＮＯ）、ステップＳ８０８に進み、賞球制御処理を開始する。賞球制御処理では、払出装置２２４を駆動制御し、総賞球個数が「０」となるまで遊技球を払い出す。また、賞球の払出不可状態又は総賞球個数が「０」であれば（ステップＳ８０６，Ｓ８０７の何れかがＹＥＳ）、ステップＳ８０９〜Ｓ８１１の貸球払出の処理に移行する。
【０２１７】
貸球払出の処理において、貸球の払出不可状態でなく且つ貸球払出要求を入力していれば（ステップＳ８０９がＮＯ、Ｓ８１０がＹＥＳ）、ステップＳ８１１に進み、貸球制御処理を開始する。貸球制御処理では、払出装置２２４を駆動制御し、貸球払出要求に対応した数の遊技球を払い出す。また、貸球の払出不可状態又は貸球払出要求を入力していなければ（ステップＳ８０９がＹＥＳ又はＳ８１０がＮＯ）、後続の球抜きの処理を実行する。
【０２１８】
ステップＳ８１２では、状態復帰スイッチ２４５をチェックして球抜き不可状態でないこと、及び球抜き動作開始でないことを条件に、払出装置２２４を駆動させ球抜き処理を実行する。続くステップＳ８１３では、球詰まり状態であることを条件にタンク２２１に設けられたバイブレータの制御（バイブモータ制御）を実行する。その後、本タイマ割込み処理を終了する。
【０２１９】
以上詳述した本実施形態によれば、以下の優れた効果を奏する。
【０２２０】
電源及び発射制御基板３２１の電断時用電源部３２１ｃから主制御基板３０１のＣＰＵ３１１のＶＢＢ端子への電力供給経路Ｒ１を、主制御基板３０１と払出制御基板３２２とを電気的に接続するハーネスＨ３に設けられた電力用配線ＥＬＮ５，ＥＬＮ６を用いて形成した。これにより、パチンコ機１０の電源が遮断されている状況において、ハーネスＨ３を取り外して主制御基板３０１と払出制御基板３２２との信号経路を遮断し、払出制御基板３２２を不正用基板に交換するといった当該払出制御基板３２２に関する不正行為が行われた場合には、電力供給経路Ｒ１が遮断され主制御基板３０１のＲＡＭ３１３への電力の供給が停止される。よって、上記不正行為が行われたことを主制御基板３０１のＣＰＵ３１１において把握することが可能となる。
【０２２１】
また、上記不正行為が行われたことを主制御基板３０１のＣＰＵ３１１において把握した場合には、異常報知処理を実行するようにした。これにより、上記不正行為が行われたことが遊技ホールの管理者等に報知され、当該不正行為の発見が容易に行われる。
【０２２２】
また、電力供給経路Ｒ１を形成する電力用配線ＥＬＮ５，ＥＬＮ６を、主制御基板３０１と払出制御基板３２２との信号経路を形成するハーネスＨ３に対して設けたことにより、それら電力用配線ＥＬＮ５，ＥＬＮ６をハーネスＨ３とは別に設ける構成に比して、配線の集約化が図られる。これにより、遊技ホールの管理者等によるパチンコ機１０のメンテナンスに際しては、上記のように配線の集約化が図られていることで、作業性の向上が図られる。
【０２２３】
また、電力用配線ＥＬＮ５，ＥＬＮ６を主制御基板３０１と払出制御基板３２２とのそれぞれに対して着脱困難な状態（例えば、半田付け）で接続する構成も想定されるが、この場合、パチンコ機１０のメンテナンスに際しては電力用配線ＥＬＮ５，ＥＬＮ６の離脱操作が煩雑となり、当該メンテナンスの作業性が著しく低下してしまうおそれがある。これに対して、電力用配線ＥＬＮ５，ＥＬＮ６を着脱自在の接続ユニットとして設けたことにより、上記メンテナンスの作業性を低下させることなく上記優れた効果を得ることができる。
【０２２４】
また、主制御基板３０１のＣＰＵ３１１において各種処理を行う上で必要な情報が一時的に記憶保持されるＲＡＭ３１３を用いて上記不正行為の有無を判定する構成としたことにより、ＲＡＭ３１３とは別に不正監視用の装置などを設ける構成に比して、構成の簡素化を図りつつ上記優れた効果を得ることができる。
【０２２５】
また、ＣＰＵ３１１における上記不正行為が行われたか否かの判定を、ＲＡＭ３１３に停電フラグが格納されているか否かを判定することにより行うようにした。停電フラグは、パチンコ機１０の電源遮断が良好に行われたか否かを復電後に確認するための情報であり、当該停電フラグが格納されていることで電断前の状態への復帰処理が行われる。かかる停電フラグを上記不正行為が行われたか否かの判定用の情報として兼用することにより、不正行為を容易に発見するための構成の簡素化が図られる。
【０２２６】
（第２の実施形態）
本実施形態では、主制御基板３０１のＲＡＭ３１３への電力供給に関する構成が上記第１の実施形態と異なっている。そこで、以下にその構成について詳細に説明する。なお、以下の説明では、上記第１の実施形態との相違点を中心に説明し、同一の構成については基本的に説明を省略する。図２７は本実施形態における構成を説明するためのブロック回路図である。
【０２２７】
図２７に示すように、本実施形態では上記第１の実施形態と同様に、主制御基板３０１と、電源及び発射制御基板３２１とが設けられており、これら両基板３０１，３２１はハーネスＨ１を介して電気的に接続されている。そして、ハーネスＨ１の電力用配線ＥＬＮ１を通じて主制御基板３０１に供給される電力によりＣＰＵ３１１が動作し、ハーネスＨ１の電力用配線ＥＬＮ３を通じて主制御基板３０１に供給される電力によりＲＡＭ３１３においてデータの記憶保持が行われる。また、パチンコ機１０の電断時においては、電断時用電源部３２１ｃに蓄電された電力が電力用配線ＥＬＮ３を通じて主制御基板３０１に供給され、その供給された電力によりＲＡＭ３１３においてデータの記憶保持が行われる。
【０２２８】
主制御基板３０１は、作動口８４に入球した遊技球を検出する作動口スイッチ１５４と電気的に接続されており、作動口スイッチ１５４における検出結果が入力される。この場合、主制御基板３０１と作動口スイッチ１５４とはハーネスＨ４を介して電気的に接続されており、上記検出結果は当該ハーネスＨ４の信号用配線ＬＮ２により形成された信号経路を通じて主制御基板３０１に入力される。なお、ハーネスＨ４は、主制御基板３０１及び作動口スイッチ１５４の両方に対して着脱自在に接続されている。
【０２２９】
本実施形態では、ハーネスＨ４が備える電気配線の束内には、２本の電力用配線ＥＬＮ７，ＥＬＮ８が含まれている。このうち一方の電力用配線ＥＬＮ７は、主制御基板３０１に形成された中継回路ＥＣ４を介して電力用配線ＥＬＮ３と電気的に接続されている。また、電力用配線ＥＬＮ７と電力用配線ＥＬＮ８とは、作動口スイッチ１５４に形成された中継回路ＥＣ５を介して電気的に接続されている。また、電力用配線ＥＬＮ８は、主制御基板３０１に形成された中継回路ＥＣ６を介してＣＰＵ３１１のＶＢＢ端子と電気的に接続されている。つまり、電源及び発射制御基板３２１からＣＰＵ３１１のＶＢＢ端子への電力供給経路Ｒ２は、電力用配線ＥＬＮ３、中継回路ＥＣ４、電力用配線ＥＬＮ７、中継回路ＥＣ５、電力用配線ＥＬＮ８及び中継回路ＥＣ６により形成されており、当該電力供給経路Ｒ２以外の経路は存在していない。
【０２３０】
上記のように電力供給経路Ｒ２が形成されていることにより、ハーネスＨ４を取り外し主制御基板３０１と作動口スイッチ１５４との電気的な接続を解除した場合には電力供給経路Ｒ２が遮断され、主制御基板３０１のＲＡＭ３１３への電力の供給が停止される。これにより、当該ＲＡＭ３１３に記憶保持されていたデータが消去される。そして、このＲＡＭ３１３のデータ消去は、外部電源からパチンコ機１０へ電力が供給されている状況及び電力が供給されていない状況の両方の状況において発生する。
【０２３１】
以上より、作動口スイッチ１５４を不正用スイッチに交換して不正に利益を得ようとする行為や、主制御基板３０１と作動口スイッチ１５４との間の電気経路の途中位置に不正用基板を介在させて不正に利益を得ようとする行為が行われたとしても、それに対応することが可能となる。
【０２３２】
なお、本実施形態において、上記電力供給経路Ｒ２を形成する対象は、作動口スイッチ１５４に限定されることはなく、入賞口スイッチ１５２、カウントスイッチ１５３又はゲートスイッチ１５５としてもよく、これらの場合、その対象となったスイッチ１５２，１５３，１５５に対しての不正行為に対処することが可能となる。
【０２３３】
（第３の実施形態）
本実施形態では、主制御基板３０１のＲＡＭ３１３への電力供給に関する構成が上記第１の実施形態と異なっている。そこで、以下にその構成について詳細に説明する。なお、以下の説明では、上記第１の実施形態との相違点を中心に説明し、同一の構成については基本的に説明を省略する。図２８は本実施形態における構成を説明するためのブロック回路図である。
【０２３４】
図２８に示すように、本実施形態では、上記第１の実施形態と同様に、主制御基板３０１と、電源及び発射制御基板３２１とが設けられており、これら両基板３０１，３２１はハーネスＨ１を介して電気的に接続されている。そして、ハーネスＨ１の電力用配線ＥＬＮ１を通じて主制御基板３０１に供給される電力によりＣＰＵ３１１が動作し、ハーネスＨ１の電力用配線ＥＬＮ３を通じて主制御基板３０１に供給される電力によりＲＡＭ３１３においてデータの記憶保持が行われる。また、パチンコ機１０の電断時においては、電断時用電源部３２１ｃに蓄電された電力が電力用配線ＥＬＮ３を通じて主制御基板３０１に供給され、その供給された電力によりＲＡＭ３１３においてデータの記憶保持が行われる。
【０２３５】
主制御基板３０１は、払出制御基板３２２とハーネスＨ５を介して電気的に接続されており、両者の信号のやり取りはハーネスＨ５の信号用配線ＬＮ３により形成された信号経路を通じて行われる。また、主制御基板３０１は、作動口スイッチ１５４とハーネスＨ６を介して電気的に接続されており、作動口スイッチ１５４における検出結果はハーネスＨ６の信号用配線ＬＮ４により形成された信号経路を通じて行われる。
【０２３６】
ハーネスＨ５が備える電気配線の束内には、２本の電力用配線ＥＬＮ９，ＥＬＮ１０が含まれている。また、ハーネスＨ６が備える電気配線の束内にも、２本の電力用配線ＥＬＮ１１，ＥＬＮ１２が含まれている。これら電力用配線ＥＬＮ９〜ＥＬＮ１２のうち、電力用配線ＥＬＮ９は、主制御基板３０１に形成された中継回路ＥＣ７を介して電力用配線ＥＬＮ３と電気的に接続されている。また、電力用配線ＥＬＮ９と電力用配線ＥＬＮ１０とは、払出制御基板３２２に形成された中継回路ＥＣ８を介して電気的に接続されている。また、電力用配線ＥＬＮ１０は、主制御基板３０１に形成された中継回路ＥＣ９を介して電力用配線ＥＬＮ１１と電気的に接続されている。また、電力用配線ＥＬＮ１１と電力用配線ＥＬＮ１２とは、作動口スイッチ１５４に形成された中継回路ＥＣ１０を介して電気的に接続されている。また、電力用配線ＥＬＮ１２は、主制御基板３０１に形成された中継回路ＥＣ１１を介してＣＰＵ３１１のＶＢＢ端子と電気的に接続されている。つまり、電源及び発射制御基板３２１からＣＰＵ３１１のＶＢＢ端子への電力供給経路Ｒ３は、電力用配線ＥＬＮ３、中継回路ＥＣ７、電力用配線ＥＬＮ９、中継回路ＥＣ８、電力用配線ＥＬＮ１０、中継回路ＥＣ９、電力用配線ＥＬＮ１１、中継回路ＥＣ１０、電力用配線ＥＬＮ１２及び中継回路ＥＣ１１により形成されており、当該電力供給経路Ｒ３以外の経路は存在していない。
【０２３７】
上記のように電力供給経路Ｒ３が形成されていることにより、ハーネスＨ５を取り外し主制御基板３０１と払出制御基板３２２との電気的な接続を解除した場合及びハーネスＨ６を取り外し主制御基板３０１と作動口スイッチ１５４との電気的な接続を解除した場合には電力供給経路Ｒ３が遮断され、主制御基板３０１のＲＡＭ３１３への電力の供給が停止される。これにより、当該ＲＡＭ３１３に記憶保持されていたデータが消去される。そして、このＲＡＭ３１３のデータ消去は、外部電源からパチンコ機１０へ電力が供給されている状況及び電力が供給されていない状況の両方の状況において発生する。
【０２３８】
以上より、払出制御基板３２２を不正用基板に交換して不正に利益を得ようとする行為、主制御基板３０１と払出制御基板３２２との間の電気経路の途中位置に不正用基板を介在させて不正に利益を得ようとする行為、作動口スイッチ１５４を不正用スイッチに交換して不正に利益を得ようとする行為及び主制御基板３０１と作動口スイッチ１５４との間の電気経路の途中位置に不正用基板を介在させて不正に利益を得ようとする行為が行われたとしても、それに対応することが可能となる。つまり、電力供給経路Ｒ３が設けられていることにより、複数の機器の不正監視を行うことができる。
【０２３９】
なお、本実施形態において、上記電力供給経路Ｒ３を形成する対象は、払出制御基板３２２及び作動口スイッチ１５４の組合せに限定されることはなく、入賞口スイッチ１５２、カウントスイッチ１５３、作動口スイッチ１５４、ゲートスイッチ１５５、払出制御基板３２２及び音声ランプ制御基板３２４のうち、任意の２組としてもよい。また、これら各機器のうち、任意の３組、４組又は５組以上としてもよい。これらの場合、対象となった機器に対しての不正行為にまとめて対処することが可能となる。
【０２４０】
（第４の実施形態）
本実施形態では、主制御基板３０１のＲＡＭ３１３への電力供給に関する構成が上記第１の実施形態と異なっている。そこで、以下にその構成について詳細に説明する。なお、以下の説明では、上記第１の実施形態との相違点を中心に説明し、同一の構成については基本的に説明を省略する。図２９は本実施形態における構成を説明するためのブロック回路図である。
【０２４１】
図２９に示すように、本実施形態では、上記第１の実施形態と同様に、主制御基板３０１と、電源及び発射制御基板３２１とが設けられており、これら両基板３０１，３２１はハーネスＨ１を介して電気的に接続されている。そして、ハーネスＨ１の電力用配線ＥＬＮ１を通じて主制御基板３０１に供給される電力によりＣＰＵ３１１が動作し、ハーネスＨ１の電力用配線ＥＬＮ３を通じて主制御基板３０１に供給される電力によりＲＡＭ３１３においてデータの記憶保持が行われる。また、パチンコ機１０の電断時においては、電断時用電源部３２１ｃに蓄電された電力が電力用配線ＥＬＮ３を通じて主制御基板３０１に供給され、その供給された電力によりＲＡＭ３１３においてデータの記憶保持が行われる。また、主制御基板３０１は、ハーネスＨ７を介して払出制御基板３２２と電気的に接続されており、当該ハーネスＨ７の信号用配線ＬＮ５により形成された信号経路を通じて、両基板３０１，３２２間での信号のやり取りが行われる。
【０２４２】
ここで、本実施形態では、ハーネスＨ７には電力用配線ＥＬＮ５，ＥＬＮ６に代わって接続確認用信号線ＬＬＮ１が設けられている。接続確認用信号線ＬＬＮ１は、払出制御基板３２２内で接地されており、主制御基板３０１には接続確認用の信号として接地電位（Ｌレベル）が伝達される。
【０２４３】
また、電源及び発射制御基板３２１から電力用配線ＥＬＮ３を介して主制御基板３０１に供給される電力は、主制御基板３０１に形成された切替回路４０１を介してＣＰＵ３１１のＶＢＢ端子に供給されるようになっている。かかる切替回路４０１は、ＭＯＳＦＥＴ４０１ａ及びプルアップ抵抗４０１ｂから構成されている。ＭＯＳＦＥＴ４０１ａは、そのゲート端子の入力電圧がＬレベルである場合にソース・ドレイン間に電流が流れ、Ｈレベルである場合にソース・ドレイン間に電流が流れないタイプのものである。ＭＯＳＦＥＴ４０１ａのゲート端子は、プルアップ抵抗４０１ｂを介して電力用配線ＥＬＮ３と接続されるとともに、ハーネスＨ７の接続確認用信号線ＬＬＮ１と接続されている。
【０２４４】
上記構成では、ハーネスＨ７に設けられた接続確認用信号線ＬＬＮ１を介して払出制御基板３２２から主制御基板３０１に接続確認用の信号が入力される。ここで、接続確認用信号線ＬＬＮ１は払出制御基板３２２にて接地されていることから、ハーネスＨ７が接続された状態では、主制御基板３０１に接続確認用の信号としてＬレベルが入力される。その結果、ＭＯＳＦＥＴ４０１ａのゲート端子の入力電圧がＬレベルになり、同ＭＯＳＦＥＴ４０１ａのソース・ドレイン間に電流が流れ、ＶＢＢ端子に電力が供給される。
【０２４５】
一方、ハーネスＨ７が外れている状態では、主制御基板３０１に接続確認用の信号が入力されない。その結果、ＭＯＳＦＥＴ４０１ａのゲート端子の入力電圧は、そのゲート端子が電力用配線ＥＬＮ３を通じて電源部３２１ｂ又は電断時用電源部３２１ｃの出力電圧にプルアップされていることから、Ｈレベルになる。そして、ＭＯＳＦＥＴ４０１ａのソース・ドレイン間に電流が流れないようになり、ＶＢＢ端子に電力が供給されなくなる。
【０２４６】
上記構成であることにより、ハーネスＨ７を取り外し主制御基板３０１と払出制御基板３２２との電気的な接続を解除した場合には、接続確認用の信号が主制御基板３０１に入力されなくなり、ＭＯＳＦＥＴ４０１ａによって主制御基板３０１のＲＡＭ３１３への電力の供給が停止される。これにより、当該ＲＡＭ３１３に記憶保持されていたデータが消去される。そして、このＲＡＭ３１３のデータ消去は、外部電源からパチンコ機１０へ電力が供給されている状況及び電力が供給されていない状況の両方の状況において発生する。
【０２４７】
以上より、払出制御基板３２２を不正用基板に交換して不正に利益を得ようとする行為及び主制御基板３０１と払出制御基板３２２との間の電気経路の途中位置に不正用基板を介在させて不正に利益を得ようとする行為が行われたとしても、それに対応することが可能となる。
【０２４８】
また、接続確認用信号線ＬＬＮ１を払出制御基板３２２にて接地するとともに、接続確認用の信号としてＬレベルが主制御基板３０１に入力されている場合にはＲＡＭ３１３への電力供給が行われるようにした。このようにすることで、払出制御基板３２２に接続確認用の信号を生成する回路を設ける必要がなく、接続確認用の信号を出力する構成を簡素なものとすることができる。
【０２４９】
また、上記構成においては、上記第１の実施形態における構成と異なり、ＲＡＭ３１３に電力を供給するための電力用配線をハーネスＨ７に設ける必要がなく、ＲＡＭ３１３への電力供給経路を短くすることができ、上記第１の実施形態における構成に比して電力損失の低減化が図られる。また、ＲＡＭ３１３への電力供給経路を短くすることで、ＲＡＭ３１３への供給電力に混入する電磁ノイズが小さくなり、電磁ノイズによってＲＡＭ３１３に記憶されているデータが意図せず変更されてしまうなどの不都合を回避できる。
【０２５０】
（第５の実施形態）
本実施形態では、主制御基板３０１のＲＡＭ３１３への電力供給に関する構成が上記第１の実施形態と異なっている。そこで、以下にその構成について詳細に説明する。なお、以下の説明では、上記第１の実施形態との相違点を中心に説明し、同一の構成については基本的に説明を省略する。図３０は本実施形態における構成を説明するためのブロック回路図である。
【０２５１】
図３０に示すように、本実施形態では上記第１の実施形態と同様に、主制御基板３０１と、払出制御基板３２２と、電源及び発射制御基板３２１とが設けられている。主制御基板３０１と電源及び発射制御基板３２１とはハーネスＨ１を介して電気的に接続されており、ハーネスＨ１の各電力用配線ＥＬＮ１，ＥＬＮ３を通じて、電源及び発射制御基板３２１から主制御基板３０１に電力が供給される。また、主制御基板３０１と払出制御基板３２２とはハーネスＨ８を介して電気的に接続されている。
【０２５２】
上記構成において、主制御基板３０１のＣＰＵ３１１には、ＲＡＭ３１３とは別に判定用揮発性記憶手段としての判定用ＲＡＭ４０２が内蔵されている。判定用ＲＡＭ４０２には、基本的に判定用フラグ（判定用情報）が記憶保持されている。判定用フラグは、ハーネスＨ８の取り外しが行われたか否かをＣＰＵ３１１において把握するためのフラグである。当該判定用フラグについて詳細には、上記第１の実施形態におけるＣＰＵ３１１のメイン処理（図２１）のステップＳ４０７にて、確認用フラグをＲＡＭ３１３に格納する処理の代わりに、判定用フラグが判定用ＲＡＭ４０２に格納される。また、上記第１の実施形態におけるＣＰＵ３１１のメイン処理（図２１）のステップＳ４１０にて、確認用フラグがＲＡＭ３１３に格納されているか否かを判定する処理の代わりに、判定用フラグが判定用ＲＡＭ４０２に格納されているか否かが判定される。
【０２５３】
上記判定用ＲＡＭ４０２がＲＡＭ３１３とは別に設けられていることに対応させて、ＣＰＵ３１１には第１ＶＢＢ端子及び第２ＶＢＢ端子が設けられており、第１ＶＢＢ端子に供給された電力によりＲＡＭ３１３におけるデータの記憶保持が行われ、第２ＶＢＢ端子に供給された電力により判定用ＲＡＭ４０２におけるデータの記憶保持が行われる。
【０２５４】
ハーネスＨ１の電力用配線ＥＬＮ１を通じて主制御基板３０１に供給される電力によりＣＰＵ３１１が動作する。また、ハーネスＨ１の電力用配線ＥＬＮ３を通じて主制御基板３０１に供給される電力は、主制御基板３０１内にて２つに分岐されている。このうち一方は、主制御基板３０１に形成された中継回路ＥＣ１２を介して第１ＶＢＢ端子に供給され、この供給された電力によりＲＡＭ３１３においてデータの記憶保持が行われる。また、他方は、電力供給経路Ｒ４を介して第２ＶＢＢ端子に供給され、この供給された電力により判定用ＲＡＭ４０２においてデータの記憶保持が行われる。
【０２５５】
電力供給経路Ｒ４は、主制御基板３０１に形成された中継回路ＥＣ１３，ＥＣ１４と、ハーネスＨ８に設けられた電力用配線ＥＬＮ１３，ＥＬＮ１４と、払出制御基板３２２に形成された中継回路ＥＣ１５と、により形成されている。詳細には、ハーネスＨ８に設けられた電力用配線ＥＬＮ１３は、主制御基板３０１に形成された中継回路ＥＣ１３を介して電力用配線ＥＬＮ３と電気的に接続されている。また、電力用配線ＥＬＮ１３と電力用配線ＥＬＮ１４とは、払出制御基板３２２に形成された中継回路ＥＣ１５を介して電気的に接続されている。また、電力用配線ＥＬＮ１４は、主制御基板３０１に形成された中継回路ＥＣ１４を介してＣＰＵ３１１の第２ＶＢＢ端子と電気的に接続されている。
【０２５６】
上記のように電力供給経路Ｒ４が形成されていることにより、ハーネスＨ８を取り外し主制御基板３０１と払出制御基板３２２との電気的な接続を解除した場合には電力供給経路Ｒ４が遮断され、主制御基板３０１の判定用ＲＡＭ４０２への電力の供給が停止される。これにより、当該判定用ＲＡＭ４０２に記憶保持されていた判定用フラグが消去される。そして、この判定用フラグの消去は、外部電源からパチンコ機１０へ電力が供給されている状況及び電力が供給されていない状況の両方の状況において発生する。判定用フラグが消去されたことは、上記のとおりＣＰＵ３１１にて把握され、例えば上記第１の実施形態において説明したような異常報知処理が実行される。
【０２５７】
以上のように本実施形態によれば、主制御基板３０１のＣＰＵ３１１に、ＲＡＭ３１３とは別に判定用ＲＡＭ４０２を設ける必要がある点で、上記第１の実施形態よりも構成が複雑化するものの、払出制御基板３２２を不正用基板に交換して不正に利益を得ようとする行為や、主制御基板３０１と払出制御基板３２２との間の電気経路の途中位置に不正用基板を介在させて不正に利益を得ようとする行為が行われたとしても、それに対応することが可能となる。
【０２５８】
なお、本実施形態において、上記電力供給経路Ｒ４を形成する対象は、払出制御基板３２２に限定されることはなく、入賞口スイッチ１５２、カウントスイッチ１５３、作動口スイッチ１５４、ゲートスイッチ１５５又は音声ランプ制御基板３２４としてもよく、これらの場合、その対象となった機器に対しての不正行為に対処することが可能となる。
【０２５９】
（第６の実施形態）
本実施形態では、上記第１の実施形態と異なり、払出制御基板３２２において主制御基板３０１に対する不正行為が監視される。そこで、以下にその構成について詳細に説明する。なお、以下の説明では、上記第１の実施形態との相違点を説明し、同一の構成については基本的に説明を省略する。図３１は本実施形態における構成を説明するためのブロック回路図である。
【０２６０】
図３０に示すように、本実施形態では上記第１の実施形態と同様に、主制御基板３０１と、払出制御基板３２２と、電源及び発射制御基板３２１とが設けられている。主制御基板３０１と電源及び発射制御基板３２１とはハーネスＨ１を介して電気的に接続されており、ハーネスＨ１の各電力用配線ＥＬＮ１，ＥＬＮ３を通じて、電源及び発射制御基板３２１から主制御基板３０１に電力が供給される。また、払出制御基板３２２と電源及び発射制御基板３２１とはハーネスＨ２を介して電気的に接続されており、ハーネスＨ２の各電力用配線ＥＬＮ２，ＥＬＮ４を通じて、電源及び発射制御基板３２１から払出制御基板３２２に電力が供給される。また、主制御基板３０１と払出制御基板３２２とはハーネスＨ９を介して電気的に接続されており、当該ハーネスＨ９に設けられた信号用配線ＬＮ６を通じて両基板３０１，３２２間で信号のやり取りが行われる。
【０２６１】
上記構成において、本実施形態では、ハーネスＨ１の電力用配線ＥＬＮ３を通じて主制御基板３０１に供給された電力は、払出制御基板３２２側へ迂回させることなく、そのままＣＰＵ３１１のＶＢＢ端子に供給されている。その代わりに、ハーネスＨ２の電力用配線ＥＬＮ４を通じて主制御基板３０１に供給された電力が、主制御基板３０１側へ迂回させた後に、ＣＰＵ３３１のＶＢＢ端子に供給されている。
【０２６２】
当該電力供給経路Ｒ５について詳細には、ハーネスＨ９が備える電気配線の束内には、２本の電力用配線ＥＬＮ１５，ＥＬＮ１６が含まれている。このうち一方の電力用配線ＥＬＮ１５は、払出制御基板３２２に形成された中継回路ＥＣ１６を介して電力用配線ＥＬＮ４と電気的に接続されている。また、電力用配線ＥＬＮ１５と電力用配線ＥＬＮ１６とは、主制御基板３０１に形成された中継回路ＥＣ１７を介して電気的に接続されている。また、電力用配線ＥＬＮ１６は、払出制御基板３２２に形成された中継回路ＥＣ１８を介してＣＰＵ３３１のＶＢＢ端子と電気的に接続されている。つまり、電源及び発射制御基板３２１からＣＰＵ３３１のＶＢＢ端子への電力供給経路Ｒ５は、電力用配線ＥＬＮ４、中継回路ＥＣ１６、電力用配線ＥＬＮ１５、中継回路ＥＣ１７、電力用配線ＥＬＮ１６及び中継回路ＥＣ１８により形成されており、当該電力供給経路Ｒ５以外の経路は存在していない。
【０２６３】
上記のように電力供給経路Ｒ５が形成されていることにより、ハーネスＨ９を取り外し主制御基板３０１と払出制御基板３２２との電気的な接続を解除した場合には電力供給経路Ｒ５が遮断され、払出制御基板３２２のＲＡＭ３３３への電力の供給が停止される。これにより、当該ＲＡＭ３３３に記憶保持されていたデータが消去される。そして、このＲＡＭ３３３のデータ消去は、外部電源からパチンコ機１０へ電力が供給されている状況及び電力が供給されていない状況の両方の状況において発生する。
【０２６４】
また、払出制御基板３２２のＣＰＵ３３１には、ＲＡＭ３３３の監視機能が付与されている。この監視機能は、上記第１の実施形態において主制御基板３０１のＣＰＵ３１１に設けられたＲＡＭ３１３の監視機能と同様である。具体的には、払出制御基板３２２のメイン処理（図２４）において、ステップＳ７０４で停電フラグが格納されていないと判定した場合には異常報知処理を実行する。ここで、図３１に示すように、払出制御基板３２２はハーネスＨ１０を介して音声ランプ制御基板３２４と電気的に接続されている。つまり、払出制御基板３２２は監視対象の機器を介在させずに報知用の機器と接続されている。そして、上記異常報知処理では、払出制御基板３２２から音声ランプ制御基板３２４へ異常コマンドが出力されることで、ランプ部２３〜２５やスピーカ部２６などにて異常報知が実行される。なお、払出制御基板３２２から遊技ホールの管理コンピュータ（ホールコンピュータ）に異常信号を出力する構成としてもよい。
【０２６５】
また、メイン処理のステップＳ７１０において割込み許可を設定する直前に、ＲＡＭ３３３に確認用フラグを格納する。そして、この確認用フラグが格納されているか否かを、メイン処理においてステップＳ７０４とステップＳ７０５との間の処理にて判定し、確認用フラグが格納されていない場合には上記異常報知処理を実行する。
【０２６６】
以上より、主制御基板３０１を不正用基板に交換して不正に利益を得ようとする行為や、主制御基板３０１と払出制御基板３２２との間の電気経路の途中位置に不正用基板を介在させて不正に利益を得ようとする行為が行われたとしても、それに対応することが可能となる。
【０２６７】
特に、主制御基板３０１は、大当たりを発生させるか否かの抽選を行う抽選機能や、各種入賞口８２，８３，８４に遊技球が入球したか否かを判定する入賞判定機能などを備え、遊技を統括管理するものであるため、不正行為の対象となり易い。これに対して、本実施形態によれば、主制御基板３０１に対する不正行為に対して好適に対処することが可能となる。
【０２６８】
（第７の実施形態）
本実施形態では、払出制御基板３２２のＲＡＭ３３３への電力供給に関する構成が上記第６の実施形態と異なっている。そこで、以下にその構成について詳細に説明する。なお、以下の説明では、上記第６の実施形態との相違点を中心に説明し、同一の構成については基本的に説明を省略する。図３２は本実施形態における構成を説明するためのブロック回路図である。
【０２６９】
図３２に示すように、本実施形態では上記第１の実施形態と同様に、払出制御基板３２２と、電源及び発射制御基板３２１とが設けられており、これら両基板３２１，３２２はハーネスＨ２を介して電気的に接続されている。そして、ハーネスＨ２の電力用配線ＥＬＮ２を通じて払出制御基板３２２に供給される電力によりＣＰＵ３３１が動作し、ハーネスＨ２の電力用配線ＥＬＮ４を通じて払出制御基板３２２に供給される電力によりＲＡＭ３３３においてデータの記憶保持が行われる。また、パチンコ機１０の電断時においては、電断時用電源部３２１ｃに蓄電された電力が電力用配線ＥＬＮ４を通じて払出制御基板３２２に供給され、その供給された電力によりＲＡＭ３３３においてデータの記憶保持が行われる。また、払出制御基板３２２は、ハーネスＨ１０を介して音声ランプ制御基板３２４と電気的に接続されている。
【０２７０】
払出制御基板３２２は、遊技球の払出を実行する払出装置２２４と電気的に接続されており、払出装置２２４に動作電力を供給することで当該払出装置２２４を動作させる。この場合、払出制御基板３２２と払出装置２２４との間には裏パック基板２２９が介在しており、払出制御基板３２２と裏パック基板２２９とがハーネスＨ１１を介して電気的に接続されているとともに、裏パック基板２２９と払出装置２２４とがハーネスＨ１２を介して電気的に接続されている。そして、上記動作電力は、ハーネスＨ１１の電力用配線ＥＬＮ１７と、裏パック基板２２９と、ハーネスＨ１２の電力用配線ＥＬＮ１８とにより形成された電力供給経路を通じて払出装置２２４に供給される。なお、ハーネスＨ１１は、払出制御基板３２２及び裏パック基板２２９の両方に対して着脱自在に接続されており、ハーネスＨ１２は、裏パック基板２２９及び払出装置２２４の両方に対して着脱自在に接続されている。
【０２７１】
本実施形態では、ハーネスＨ１１が備える電気配線の束内には、上記電力用配線ＥＬＮ１７とは別に、２本の電力用配線ＥＬＮ１９，ＥＬＮ２０が含まれている。また、ハーネスＨ１２が備える電気配線の束内には、上記電力用配線ＥＬＮ１８とは別に、２本の電力用配線ＥＬＮ２１，ＥＬＮ２２が含まれている。これら電力用配線ＥＬＮ１９〜ＥＬＮ２２のうち、電力用配線ＥＬＮ１９は、払出制御基板３２２に形成された中継回路ＥＣ１９を介して電力用配線ＥＬＮ４と電気的に接続されている。また、電力用配線ＥＬＮ１９と電力用配線ＥＬＮ２１とは、裏パック基板２２９に形成された中継回路ＥＣ２０を介して電気的に接続されている。また、電力用配線ＥＬＮ２１と電力用配線ＥＬＮ２２とは、払出装置２２４に形成された中継回路ＥＣ２１を介して電気的に接続されている。また、電力用配線ＥＬＮ２２と電力用配線ＥＬＮ２０とは、裏パック基板２２９に形成された中継回路ＥＣ２２を介して電気的に接続されている。また、電力用配線ＥＬＮ２０は、払出制御基板３２２に形成された中継回路ＥＣ２３を介してＣＰＵ３３１のＶＢＢ端子と電気的に接続されている。つまり、電源及び発射制御基板３２１からＣＰＵ３３１のＶＢＢ端子への電力供給経路Ｒ６は、電力用配線ＥＬＮ４、中継回路ＥＣ１９、電力用配線ＥＬＮ１９、中継回路ＥＣ２０、電力用配線ＥＬＮ２１、中継回路ＥＣ２１、電力用配線ＥＬＮ２２、中継回路ＥＣ２２、電力用配線ＥＬＮ２０及び中継回路ＥＣ２３により形成されており、当該電力供給経路Ｒ６以外の経路は存在していない。
【０２７２】
上記のように電力供給経路Ｒ６が形成されていることにより、ハーネスＨ１１又はハーネスＨ１２を取り外し払出制御基板３２２と払出装置２２４との電気的な接続を解除した場合には電力供給経路Ｒ６が遮断され、払出制御基板３２２のＲＡＭ３３３への電力の供給が停止される。これにより、当該ＲＡＭ３３３に記憶保持されていたデータが消去される。そして、このＲＡＭ３３３のデータ消去は、外部電源からパチンコ機１０へ電力が供給されている状況及び電力が供給されていない状況の両方の状況において発生する。
【０２７３】
以上より、払出装置２２４を不正用装置に交換して不正に利益を得ようとする行為や、払出制御基板３２２と払出装置２２４との間の電気経路の途中位置に不正用基板を介在させて不正に利益を得ようとする行為が行われたとしても、それに対応することが可能となる。
【０２７４】
（他の実施形態）
なお、上述した各実施形態の記載内容に限定されず、例えば次のように実施してもよい。
【０２７５】
（１）上記第１の実施形態における主制御基板３０１のＲＡＭ３１３への電力供給に関する構成の変形例を、図３３を用いて説明する。
【０２７６】
図３３に示すように、主制御基板３０１はハーネスＨ１を介して電源及び発射制御基板３２１と電気的に接続されており、払出制御基板３２２はハーネスＨ２を介して電源及び発射制御基板３２１と電気的に接続されている。また、主制御基板３０１と払出制御基板３２２とはハーネスＨ１３を介して電気的に接続されている。
【０２７７】
この場合に、本構成では、ハーネスＨ１には、電力用配線ＥＬＮ１は設けられているものの電力用配線ＥＬＮ３は設けられていない。つまり、主制御基板３０１と電源及び発射制御基板３２１とを電気的に接続するハーネスＨ１には、主制御基板３０１のＣＰＵ３１１を動作させる電力を供給するための電力用配線は含まれているが、主制御基板３０１のＲＡＭ３１３においてデータの記憶保持を行わせる電力を供給するための電力用配線は含まれていない。代わりに、ＲＡＭ３１３においてデータの記憶保持を行わせる電力は、払出制御基板３２２に中継されて供給される。
【０２７８】
ＲＡＭ３１３への電力供給経路Ｒ７について以下に詳細に説明する。払出制御基板３２２と電源及び発射制御基板３２１とを電気的に接続するハーネスＨ２には、上記第１の実施形態と同様に、電力用配線ＥＬＮ２と電力用配線ＥＬＮ４とが含まれている。このうち、電力用配線ＥＬＮ４を通じて払出制御基板３２２に供給される電力は、当該払出制御基板３２２において２つに分岐され、一方は払出制御基板３２２のＣＰＵ３３１のＶＢＢ端子と電気的に接続されている。また、他方は、払出制御基板３２２に形成された中継回路ＥＣ２４を介して、主制御基板３０１及び払出制御基板３２２間のハーネスＨ１３の電力用配線ＥＬＮ２３と電気的に接続されている。また、電力用配線ＥＬＮ２３は主制御基板３０１に形成された中継回路ＥＣ２５を介して、主制御基板３０１のＣＰＵ３１１のＶＢＢ端子と電気的に接続されている。つまり、電源及び発射制御基板３２１からＣＰＵ３１１のＶＢＢ端子への電力供給経路Ｒ７は、電力用配線ＥＬＮ４、中継回路ＥＣ２４、電力用配線ＥＬＮ２３及び中継回路ＥＣ２５により形成されており、当該電力供給経路Ｒ７以外の経路は存在していない。
【０２７９】
上記のように電力供給経路Ｒ７が形成されていることにより、ハーネスＨ１３を取り外し主制御基板３０１と払出制御基板３２２との電気的な接続を解除した場合には電力供給経路Ｒ７が遮断され、主制御基板３０１のＲＡＭ３１３への電力の供給が停止される。これにより、当該ＲＡＭ３１３に記憶保持されていたデータが消去される。そして、このＲＡＭ３１３のデータ消去は、外部電源からパチンコ機１０へ電力が供給されている状況及び電力が供給されていない状況の両方の状況において発生する。
【０２８０】
以上より、払出制御基板３２２を不正用基板に交換して不正に利益を得ようとする行為や、主制御基板３０１と払出制御基板３２２との間の電気経路の途中位置に不正用基板を介在させて不正に利益を得ようとする行為が行われたとしても、それに対応することが可能となる。
【０２８１】
なお、本構成と同様の構成を、上記第６の実施形態における払出制御基板３２２のＲＡＭ３３３への電力供給に関する構成に対して適用してもよい。
【０２８２】
（２）上記第１の実施形態では、主制御基板３０１と払出制御基板３２２とを電気的に接続するためのハーネスＨ３が取り外された場合には主制御基板３０１のＲＡＭ３１３に電力が供給されなくなる構成としたが、これに代えて、ＲＡＭ３１３を含めて主制御基板３０１のＣＰＵ３１１に電力が供給されなくなる構成としてもよい。当該構成であっても、払出制御基板３２２を不正用基板に交換するといった当該払出制御基板３２２に関する不正行為に対処することが可能となる。なお、本構成を、上記第２〜第７の実施形態に適用してもよい。
【０２８３】
（３）上記第１の実施形態では、電力供給経路Ｒ１を通じて主制御基板３０１のＣＰＵ３１１に供給される電力により、パチンコ機１０の電源投入時及び電源遮断時の両方においてＲＡＭ３１３におけるデータの記憶保持が行われる構成としたが、これを変更してもよい。例えば、電力供給経路Ｒ１を通じて供給される電力により、パチンコ機１０の電源遮断時のみのＲＡＭ３１３におけるデータの記憶保持が行われる構成とし、パチンコ機１０の電源投入時（パチンコ機１０の電源がＯＮの時）のＲＡＭ３１３におけるデータの記憶保持は、電力供給経路Ｒ１とは異なる経路で供給される電力により行われる構成としてもよい。具体的には、主制御基板３０１と電源及び発射制御基板３２１とを電気的に接続するようにして設けられたハーネスＨ１の電力用配線ＥＬＮ１を通じて主制御基板３０１に供給される電力により、パチンコ機１０の電源投入時のＲＡＭ３１３におけるデータの記憶保持が行われる構成としてもよい。当該構成であっても、パチンコ機１０の電源が遮断されている状況で払出制御基板３２２を不正用基板に交換するといった当該払出制御基板３２２に関する不正行為に対処することが可能となる。
【０２８４】
なお、本構成においては、電源投入時における不正行為は監視対象から外れるため、主制御基板３０１のＲＡＭ３１３において確認用フラグを記憶保持する機能は必要なくなる。また、本構成を、上記第２〜第７の実施形態に適用してもよい。
【０２８５】
（４）上記第４の実施形態のように、接続確認用信号線ＬＬＮ１と切替回路４０１とを用いる構成を、上記第１〜第３の実施形態や上記第５〜第７の実施形態において適用してもよい。また、上記第７の実施形態のように、不正監視用の制御装置と、監視対象の機器との間に中継基板を介在させる構成を、上記第１〜第６の実施形態において適用してもよい。
【０２８６】
（５）上記第１の実施形態では、主制御基板３０１のＣＰＵ３１１のメイン処理（図２１）において異常報知処理（ステップＳ４１３）を実行するようにしたが、当該異常報知処理を実行しないようにしてもよい。但し、本構成においては、ステップＳ４０４にて、払出初期化コマンドを出力する処理に代えて、音声ランプ制御基板３２４を含めた各基板に初期化コマンドを出力する構成とし、音声ランプ制御基板３２４では当該初期化コマンドを入力することで異常報知を行う構成とする。これにより、停電フラグが格納されていない場合や確認用フラグが格納されていない場合などには、その旨の報知を行うことが可能となる。なお、本構成を、上記第２〜第７の実施形態において適用してもよい。
【０２８７】
（６）上記第１の実施形態において、主制御基板３０１のＣＰＵ３１１のメイン処理（図２１）にて確認用フラグが格納されていないと判定した場合には、異常報知処理に代えて又は加えて、遊技禁止処理を実行する構成としてもよい。これにより、払出制御基板３２２に関して不正行為が行われた状態で遊技が行われてしまうことを阻止することができる。なお、本構成を、上記第２〜第７の実施形態において適用してもよい。
【０２８８】
（７）上記第１の実施形態では、タイマ割込み処理（図１９）において異常報知処理（ステップＳ２０６）を行うとともに、メイン処理（図２１）においても異常報知処理（ステップＳ４１３）を行う構成としたが、これを変更してもよい。例えば、タイマ割込み処理における異常報知処理を行わない構成としてもよい。また、メイン処理における異常報知処理を行わない構成としてもよい。なお、本構成を、上記第２〜第７の実施形態において適用してもよい。
【０２８９】
（８）上記第１の実施形態において、停電フラグを備えない構成としてもよい。本構成であっても、電源遮断時にはＲＡＭ判定値が算出されそれが記憶保持される構成であるため、復電時には当該ＲＡＭ判定値が異常か否かを判定することで、電源遮断中に不正行為が行われたか否かを主制御基板３０１のＣＰＵ３１１において把握することができる。また、停電フラグやＲＡＭ判定値のように不正行為が行われたか否かの把握に際して基準となる情報を備えない構成としてもよい。当該構成であっても、復電時にはＲＡＭ３１３に破壊されたデータが存在するか否かを判定することで、電源遮断中に不正行為が行われたか否かを主制御基板３０１のＣＰＵ３１１において把握することができる。
【０２９０】
（９）上記各実施形態では、電断時用電源部３２１ｃが電源及び発射制御基板３２１に搭載された構成としたが、これに代えて、主制御基板３０１に電断時用電源部３２１ｃを搭載してもよく、払出制御基板３２２に電断時用電源部３２１ｃを搭載してもよい。また、電断時用電源部３２１ｃ専用の装置を設けてもよい。
【０２９１】
（１０）不正監視用の制御装置と監視対象の機器との間の情報のやり取りが、電気信号ではなく光信号などといった他の態様の信号により行われる構成に対して、本発明を適用してもよい。
【０２９２】
（１１）主制御基板３０１のＣＰＵ３１１や払出制御基板３２２のＣＰＵ３３１が、ＲＯＭ３１２，３３２及びＲＡＭ３１３，３３３を搭載していない構成、すなわち、ＣＰＵ、ＲＯＭ及びＲＡＭがそれぞれ別のチップとして設けられた構成に対して、本発明を適用してもよい。例えば、本構成に対して上記第１の実施形態における発明を適用する場合には、電力供給経路Ｒ１によりＲＡＭのチップに電力を供給するようにする。また、主制御基板３０１のＲＡＭ３１３や払出制御基板３２２のＲＡＭ３３３が、バックアップエリアを備えた構成に対して、本発明を適用してもよい。
【０２９３】
（１２）電源及び発射制御装置２４３ではなく、電源装置と発射制御装置とが別に設けられた構成に対して、本発明を適用してもよい。また、主制御装置１６２に停電監視回路３０３が搭載されていない構成に対して、本発明を適用してもよい。
【０２９４】
（１３）上記各実施形態では、一般入賞口８２、可変入賞装置８３、及び作動口８４などの入球部に遊技球が入った場合には、遊技球を払い出す特典を付与する構成としたが、かかる構成に限定されるものではなく、遊技者に何らかの特典が付与される構成であればよい。例えば、入球部に遊技球が入った場合に遊技球以外の賞品を払い出す構成であってもよい。
【０２９５】
（１４）上記各実施形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２９６】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組合せが成立していた場合にはメダルの払い出し等といった特典を遊技者に付与するスロットマシンにも、本発明を適用できる。
【０２９７】
また、取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【符号の説明】
【０２９８】
１０…遊技機としてのパチンコ機、８１…遊技盤、１５４…作動口スイッチ、１６２…主制御装置、２２４…払出装置、２４２…払出制御装置、２４３…電源及び発射制御装置、３０１…主制御基板、３１１…ＣＰＵ、３１３…ＲＡＭ、３２１…電源及び発射制御基板、３２１ｂ…電源部、３２１ｃ…電断時用電源部、３２２…払出制御基板、３３１…ＣＰＵ、３３３…ＲＡＭ、４０１…切替回路、４０１ａ…ＭＯＳＦＥＴ、ＥＬＮ１〜ＥＬＮ２３…電力用配線、Ｈ１〜Ｈ１３…ハーネス、ＬＬＮ１…接続確認用信号線、Ｒ１〜Ｒ７…電力供給経路。
【図１】
0005488668.tif 000002
【図２】
0005488668.tif 000003
【図３】
0005488668.tif 000004
【図４】
0005488668.tif 000005
【図５】
0005488668.tif 000006
【図６】
0005488668.tif 000007
【図７】
0005488668.tif 000008
【図８】
0005488668.tif 000009
【図９】
0005488668.tif 000010
【図１０】
0005488668.tif 000011
【図１１】
0005488668.tif 000012
【図１２】
0005488668.tif 000013
【図１３】
0005488668.tif 000014
【図１４】
0005488668.tif 000015
【図１５】
0005488668.tif 000016
【図１６】
0005488668.tif 000017
【図１７】
0005488668.tif 000018
【図１８】
0005488668.tif 000019
【図１９】
0005488668.tif 000020
【図２０】
0005488668.tif 000021
【図２１】
0005488668.tif 000022
【図２２】
0005488668.tif 000023
【図２３】
0005488668.tif 000024
【図２４】
0005488668.tif 000025
【図２５】
0005488668.tif 000026
【図２６】
0005488668.tif 000027
【図２７】
0005488668.tif 000028
【図２８】
0005488668.tif 000029
【図２９】
0005488668.tif 000030
【図３０】
0005488668.tif 000031
【図３１】
0005488668.tif 000032
【図３２】
0005488668.tif 000033
【図３３】
0005488668.tif 000034